(57)【特許請求の範囲】
【請求項１】
デバイスにおいてミッド−サイド（Ｍ−Ｓ）エンコードされたサウンドを出力する方法において、
前記デバイス中に含まれているデジタルアナログ変換器（ＤＡＣ）において、デジタル化されたミッドオーディオ信号を受け取ることと、
前記ＤＡＣにおいて、デジタル化されたサイドオーディオ信号を受け取ることと、
前記ＤＡＣが、前記デジタル化されたミッドオーディオ信号および前記デジタル化されたサイドオーディオ信号を、それぞれ、アナログミッドオーディオ信号とアナログサイドオーディオ信号とに変換することと、
前記アナログミッドオーディオ信号に応答して、前記デバイス中に含まれている第１のトランスデューサーにおいて、ミッドチャネルサウンドを出力することと、
前記アナログサイドオーディオ信号に応答して、前記デバイス中に含まれている第２のトランスデューサーにおいて、サイドチャネルサウンドを出力することとを含み、
前記デバイスは、ハンドセットモードまたはスピーカーフォンモードで動作するように構成されているワイヤレス通信ハンドセットであり、
前記第１のトランスデューサーは、前記ワイヤレス通信ハンドセット中に含まれているハンドセットスピーカーであり、通話の間にユーザの耳に当てるためのものであり、
前記第２のトランスデューサーは、前記ワイヤレス通信ハンドセット中に含まれているスピーカーフォンスピーカーである方法。
【請求項２】
前記デジタル化されたサイドオーディオ信号を反転して、位相シフトされたデジタル化サイドオーディオ信号を生成させることと、
前記ＤＡＣが、前記位相シフトされたデジタル化サイドオーディオ信号を位相シフトされたアナログサイドオーディオ信号に変換することと、
前記位相シフトされたアナログサイドオーディオ信号に応答して、前記デバイス中に含まれている第３のトランスデューサーにおいて、位相シフトされたサイドチャネルサウンドを出力することとをさらに含む請求項１記載の方法。
【請求項３】
前記位相シフトされたデジタル化サイドオーディオ信号は、１８０度だけシフトされている請求項２記載の方法。
【請求項４】
前記アナログサイドオーディオ信号を反転させて、位相シフトされたアナログサイドオーディオ信号を生成させることと、
前記位相シフトされたアナログサイドオーディオ信号に応答して、前記デバイス中に含まれている第３のトランスデューサーにおいて、位相シフトされたサイドチャネルサウンドを出力することとをさらに含む請求項１記載の方法。
【請求項５】
前記位相シフトされたアナログサイドオーディオ信号は、１８０度だけシフトされている請求項４記載の方法。
【請求項６】
前記デジタル化されたミッドオーディオ信号と、前記デジタル化されたサイドオーディオ信号と、前記アナログミッドオーディオ信号と、前記アナログサイドオーディオ信号と、先述の信号の何らかの適切な組み合わせとからなるグループから選択した信号の利得を調節することをさらに含む請求項１記載の方法。
【請求項７】
ミッド−サイド（Ｍ−Ｓ）エンコードされたサウンドの再生のための装置において、
デジタル化されたミッドオーディオ信号を受け取る第１のチャネル入力と、前記デジタル化されたミッドオーディオ信号に応答して、アナログミッドオーディオ信号を提供する第１のチャネル出力と、デジタル化されたサイドオーディオ信号を受け取る第２のチャネル入力と、前記デジタル化されたサイドオーディオ信号に応答して、アナログサイドオーディオ信号を提供する第２のチャネル出力とを有する、マルチチャネルデジタルアナログ変換器（ＤＡＣ）と、
前記アナログミッドオーディオ信号に応答して、ミッドチャネルサウンドを生成させるように構成されている第１のトランスデューサーと、
前記アナログサイドオーディオ信号に応答して、サイドチャネルサウンドを生成させるように構成されている第２のトランスデューサーとを具備し、
前記装置は、ハンドセットモードまたはスピーカーフォンモードで動作するように構成されているワイヤレス通信ハンドセットであり、
前記第１のトランスデューサーは、前記ワイヤレス通信ハンドセット中に含まれているハンドセットスピーカーであり、通話の間にユーザの耳に当てるためのものであり、
前記第２のトランスデューサーは、前記ワイヤレス通信ハンドセット中に含まれているスピーカーフォンスピーカーである装置。
【請求項８】
前記アナログサイドオーディオ信号の位相をシフトさせる位相反転器をさらに具備する請求項７記載の装置。
【請求項９】
前記位相反転器は、前記アナログサイドオーディオ信号の位相を１８０度だけシフトさせる請求項８記載の装置。
【請求項１０】
前記デジタル化されたサイドオーディオ信号の位相をシフトさせる位相反転器をさらに具備する請求項７記載の装置。
【請求項１１】
前記位相反転器は、前記デジタル化されたサイドオーディオ信号の位相を１８０度だけシフトさせる請求項１０記載の装置。
【請求項１２】
前記マルチチャネルＤＡＣは、前記位相反転器の出力に結合され、前記位相シフトされたデジタル化サイドオーディオ信号に応答する第３のチャネル入力と、位相シフトされたアナログサイドオーディオ信号を提供する第３のチャネル出力とを備える請求項１０記載の装置。
【請求項１３】
位相シフトされたアナログサイドオーディオ信号に応答して、位相シフトされたサイドチャネルサウンドを生成させるように構成されている第３のトランスデューサーをさらに具備する請求項７記載の装置。
【請求項１４】
前記デジタル化されたミッドオーディオ信号、前記アナログミッドオーディオ信号、前記デジタル化されたサイドオーディオ信号、または、前記アナログサイドオーディオ信号に利得係数を適用する利得回路をさらに具備する請求項７記載の装置。
【請求項１５】
アクセサリデバイスにおける再生のために、前記アナログミッドオーディオ信号および前記アナログサイドオーディオ信号を前記アクセサリデバイスに転送するように構成されているインターフェースをさらに具備する請求項７記載の装置。
【請求項１６】
ミッド−サイド（Ｍ−Ｓ）エンコードされたサウンドの再生のための装置において、
デジタル化された左チャネルステレオオーディオ信号に応答する第１の２分割回路と、
デジタル化された右チャネルステレオオーディオ信号に応答する第２の２分割回路と、
前記第１の２分割回路からのデジタル化された左チャネルステレオオーディオ出力と、前記第２の２分割回路からのデジタル化された右チャネルステレオオーディオ出力との和をとる和算器と、
前記第１の２分割回路からの前記デジタル化された左チャネルステレオオーディオ出力と、前記第２の２分割回路からの前記デジタル化された右チャネルステレオオーディオ出力との差を決定する減算器と、
前記和算器からのデジタル化された和オーディオ出力に応答する第１のチャネル入力と、アナログ和オーディオ信号を提供する第１のチャネル出力と、前記減算器からのデジタル化された差オーディオ出力に応答する第２のチャネル入力と、アナログ差オーディオ信号を提供する第２のチャネル出力とを有する、マルチチャネルデジタルアナログ変換器（ＤＡＣ）と、
前記アナログ和オーディオ信号に応答して、ミッドチャネルサウンドを生成させる第１のスピーカーと、
前記アナログ差オーディオ信号に応答して、サイドチャネルサウンドを生成させる第２のスピーカーとを具備し、
前記装置は、ハンドセットモードまたはスピーカーフォンモードで動作するように構成されているワイヤレス通信ハンドセットであり、
前記第１のスピーカーは、前記ワイヤレス通信ハンドセット中に含まれているハンドセットスピーカーであり、通話の間にユーザの耳に当てるためのものであり、
前記第２のスピーカーは、前記ワイヤレス通信ハンドセット中に含まれているスピーカーフォンスピーカーである装置。
【請求項１７】
前記アナログ差オーディオ信号の位相を反転させる位相反転器をさらに具備する請求項１６記載の装置。
【請求項１８】
前記反転されたアナログ差オーディオ信号に応答して、反転されたサイドチャネルサウンドを生成させる第３のスピーカーをさらに具備する請求項１７記載の装置。
【請求項１９】
前記デジタル化された差オーディオ出力を反転させるデジタル位相反転器をさらに具備する請求項１６記載の装置。
【請求項２０】
前記マルチチャネルＤＡＣは、前記反転されたデジタル化差オーディオ出力に応答する第３のチャネル入力と、反転されたアナログ差オーディオ信号を提供する第３のチャネル出力とを備える請求項１９記載の装置。
【請求項２１】
前記反転されたアナログ差オーディオ信号に応答して、反転されたサイドチャネルサウンドを生成させる第３のスピーカーをさらに具備する請求項２０記載の装置。
【請求項２２】
前記第１の２分割回路および前記第２の２分割回路は、前記デジタル化された左チャネルステレオオーディオ信号のビット幅と、前記デジタル化された右チャネルステレオオーディオ信号のビット幅とを増加させるようにと、前記デジタル化された左チャネルステレオオーディオ信号と、前記デジタル化された右チャネルステレオオーディオ信号とを算術的に右にシフトさせるように構成されている回路を備える請求項１６記載の装置。
【請求項２３】
前記和算器および前記減算器の出力のビット幅を左シフトさせて、減少させるように構成されている回路をさらに具備する請求項１６記載の装置。
【請求項２４】
装置において、
デジタルアナログ変換器（ＤＡＣ）において、デジタル化されたミッドオーディオ信号を受け取る手段と、
前記ＤＡＣにおいて、デジタル化されたサイドオーディオ信号を受け取る手段と、
前記デジタル化されたミッドオーディオ信号をアナログミッドオーディオ信号に変換する手段と、
前記デジタル化されたサイドオーディオ信号をアナログサイドオーディオ信号に変換する手段と、
前記アナログミッドオーディオ信号に応答して、ミッドチャネルサウンドを出力する手段と、
前記アナログサイドオーディオ信号に応答して、サイドチャネルサウンドを出力する手段とを具備し、
前記装置は、ハンドセットモードまたはスピーカーフォンモードで動作するように構成されているワイヤレス通信ハンドセットであり、
前記ミッドチャネルサウンドを出力する手段は、前記ワイヤレス通信ハンドセット中に含まれているハンドセットスピーカーであり、通話の間にユーザの耳に当てるためのものであり、
前記サイドチャネルサウンドを出力する手段は、前記ワイヤレス通信ハンドセット中に含まれているスピーカーフォンスピーカーである装置。
【請求項２５】
前記アナログサイドオーディオ信号を反転させて、反転されたアナログサイドオーディオ信号を生成させる手段をさらに具備する請求項２４記載の装置。
【請求項２６】
前記デジタル化されたサイドオーディオ信号を反転させて、反転されたデジタル化サイドオーディオ信号を生成させる手段をさらに具備する請求項２４記載の装置。
【請求項２７】
前記デジタル化されたミッドオーディオ信号、前記アナログミッドオーディオ信号、前記デジタル化されたサイドオーディオ信号、または、前記アナログサイドオーディオ信号に利得係数を適用する手段をさらに具備する請求項２４記載の装置。
【請求項２８】
デバイスの１つ以上のプロセッサにより実行可能な１組の命令を具現化するコンピュータ読取可能記憶媒体において、
マルチチャネルデジタルアナログ変換器（ＤＡＣ）において、デジタル化されたミッドオーディオ信号を受け取るためのコードと、
前記マルチチャネルＤＡＣにおいて、デジタル化されたサイドオーディオ信号を受け取るためのコードと、
前記デジタル化されたミッドオーディオ信号をアナログミッドオーディオ信号に変換するためのコードと、
前記デジタル化されたサイドオーディオ信号をアナログサイドオーディオ信号に変換するためのコードと、
前記アナログミッドオーディオ信号に応答して、前記デバイス中に含まれている第１のトランスデューサーにおいて、ミッドチャネルサウンドを出力するためのコードと、
前記アナログサイドオーディオ信号に応答して、前記デバイス中に含まれている第２のトランスデューサーにおいて、サイドチャネルサウンドを出力するためのコードとを含み、
前記デバイスは、ハンドセットモードまたはスピーカーフォンモードで動作するように構成されているワイヤレス通信ハンドセットであり、
前記第１のトランスデューサーは、前記ワイヤレス通信ハンドセット中に含まれているハンドセットスピーカーであり、通話の間にユーザの耳に当てるためのものであり、
前記第２のトランスデューサーは、前記ワイヤレス通信ハンドセット中に含まれているスピーカーフォンスピーカーであるコンピュータ読取可能記憶媒体。
【請求項２９】
前記デジタル化されたサイドオーディオ信号を反転させて、反転されたデジタル化サイドオーディオ信号を生成させるためのコードをさらに含む請求項２８記載のコンピュータ読取可能記憶媒体。
【請求項３０】
前記デジタル化されたミッドオーディオ信号、前記アナログミッドオーディオ信号、前記デジタル化されたサイドオーディオ信号、または、前記アナログサイドオーディオ信号に利得係数を適用するためのコードをさらに含む請求項２８記載のコンピュータ読取可能記憶媒体。
【請求項３１】
システムにおいて、
Ｍ−Ｓエンコードされたステレオ信号を生成させるように構成され、前記Ｍ−Ｓエンコードされたステレオ信号をアクセサリデバイスに転送するインターフェースを有する移動体通信デバイスと、
前記Ｍ−Ｓエンコードされたステレオ信号を受け取るように構成されているインターフェースと、前記Ｍ−Ｓエンコードされたステレオ信号を再生する手段とを備える前記アクセサリデバイスとを具備するシステム。
【請求項３２】
前記移動体通信デバイスのインターフェースは、ワイヤレスアナログインターフェースと、ワイヤレスデジタルインターフェースと、ワイヤードリンク用のアナログインターフェースと、ワイヤードリンク用のデジタルインターフェースと、先述のものの何らかの適切な組み合わせとからなるグループから選択される請求項３１記載のシステム。
【請求項３３】
前記アクセサリデバイスのインターフェースは、ワイヤレスアナログインターフェースと、ワイヤレスデジタルインターフェースと、ワイヤードリンク用のアナログインターフェースと、ワイヤードリンク用のデジタルインターフェースと、先述のものの何らかの適切な組み合わせとからなるグループから選択される請求項３１記載のシステム。
【請求項３４】
前記移動体通信デバイスにより転送された前記Ｍ−Ｓエンコードされたステレオ信号は、ミッドチャネル信号と、１対のサイドチャネル信号とを含む請求項３１記載のシステム。
【請求項３５】
前記ミッドチャネル信号と、前記サイドチャネル信号は、差動信号である請求項３４記載のシステム。
【請求項３６】
前記移動体通信デバイスにより転送された前記Ｍ−Ｓエンコードされたステレオ信号は、ミッドチャネル信号と、１つだけのサイドチャネル信号とを含む請求項３１記載のシステム。
【請求項３７】
前記ミッドチャネル信号と、前記サイドチャネル信号は、差動信号である請求項３６記載のシステム。
【発明の詳細な説明】
【背景】
【０００１】
米国特許法第１１９条の下での優先権の主張
本特許出願は、“移動体デバイス上のＭ−Ｓステレオ音響”と題する、２００９年６月２５日に出願された仮出願第６１，２２０，４９７号と、“移動体デバイス上のＭ−Ｓステレオ音響”と題する、２００９年７月２７日に出願され、その譲受人に譲渡された仮出願第６１，２２８，９１０号とに対する優先権を主張する。
【０００２】
分野
本開示は、一般的にステレオオーディオに関し、さらに詳細には、ミッド−サイド（Ｍ−Ｓ）ステレオ再生に関する。
【０００３】
背景
ステレオサウンド記録技術は、サウンドソースの相対的なポジションをオーディオ記録にエンコードすることを目的とし、ステレオ再生技術は、これらの相対的なポジションの感覚で、記録されたサウンドを再生することを目的としている。ステレオシステムは、２つ以上のチャネルを伴うことができるが、オーディオ記録の分野では２チャネルシステムが主流を占めている。２本のマイクロフォンを使用するステレオ記録技術には、多くのマイクロフォン配置技術がある。しかしながら、典型的な２チャネルシステムでは、２つのチャネルは、通常、左（Ｌ）および右（Ｒ）として知られている。ＬチャネルおよびＲチャネルは、リスナーの前面にある音場に関連する情報を伝える。特に、Ｌチャネルは、一般的に音場の左側に位置するサウンドについての情報を運び、Ｒチャネルは、一般的に音場の右側に位置するサウンドについての情報を運ぶ。ＬチャネルおよびＲチャネルのステレオ信号を再生するための非常に人気のある手段は、間隔が離れた左右２つのラウドスピーカーにより、チャネルを出力することである。
【０００４】
代替的なステレオ記録技術は、ミッド−サイド（Ｍ−Ｓ）ステレオとして知られている。Ｍ−Ｓステレオ記録は、１９３０年代から知られているものである。これは、より一般的な左右ステレオ記録技術とは異なるものである。Ｍ−Ｓステレオ記録では、マイクロフォン配置は、２本のマイクロフォンを伴う：音場の中央部分を捕捉するように音場の前面に面しているカージオイドマイクロフォンまたは８字型マイクロフォンであるミッドマイクロフォンと、音場の左側と右側にあるサウンドを捕捉するための、横向きに面した、すなわち、ミッドマイクロフォンの軸に垂直な、８字型マイクロフォンであるサイドマイクロフォンである。
【０００５】
Ｌ−ＲステレオおよびＭ−Ｓステレオの２つの記録技術は、それぞれ、記録されたオーディオを１対のステレオスピーカーを通して再生するときに、リスナーに対してステレオサウンドの感覚を生成させることができる。典型的に、Ｍ−Ｓステレオ記録は、プレーバックの前にＬ−Ｒチャネルに変換され、その後、Ｌ−Ｒスピーカーを通してブロードキャストされる。以下の方程式を使用して、Ｍ−ＳステレオチャネルをＬおよびＲのステレオチャネルに変換してもよい：
Ｌチャネル＝ミッド＋サイド                            式１
Ｒチャネル＝ミッド−サイド                            式２
最も商業的な２チャネルステレオサウンド記録は、数メートル間隔が離れたラウドスピーカーによる最適な再生のためにミキシングされる。ハンドヘルド移動体デバイスのような、小型の単一のユニットからステレオサウンドを再生することが望ましい場合には、このラウドスピーカーの間隔は実現可能ではない。
【概要】
【０００６】
何らかのデバイス（例えば、移動体ハンドセット）の小型のサイズおよび形のために、満足の行くステレオサウンドを達成することは一般的に難しい。これらのデバイスにおいて、従来のＬ−Ｒステレオ再生は、デバイス中に典型的に含まれているラウドスピーカーに悩まされており、リスナーに対して所望のレベルのステレオ感覚を生成することができていない。実際、いくつかのデバイスには、モノスピーカーフォンのみが付いており、ここでは、既知のデバイスコンフィギュレーションを使用してのステレオサウンドがまったく可能ではなかった。したがって、相対的に小型のデバイス上でのステレオオーディオ再生を改善する必要性がある。
【０００７】
ここで開示する技術は、スピーカーフォンとともに、すべての移動体ハンドセットに装備されているハンドセットスピーカーを使用して、ハンドセット上で新しくかつ改善されたステレオ音響を作ることができる。モノスピーカーフォンを有するデバイスにより、デバイスの音場を、モノ音響以外のより興味深いサウンド経験へと高めることができる。加えて、ほんの少しの付加的な計算コストで、ステレオスピーカーフォン（すなわち、２つ以上のスピーカーフォン）を持つデバイスのステレオ音場を音響的に広げることができる。
【０００８】
ある態様にしたがうと、デバイスにおいてＭ−Ｓエンコードされたサウンドを出力する方法は、デバイス中に含まれているデジタルアナログ変換器（ＤＡＣ）において、デジタル化されたミッドオーディオ信号およびデジタル化されたサイドオーディオ信号を受け取ることを含んでいる。ＤＡＣは、デジタル化されたミッドオーディオ信号およびデジタル化されたサイドオーディオ信号を、それぞれ、アナログミッドオーディオ信号とアナログサイドオーディオ信号とに変換する。ミッドチャネルサウンドは、デバイス中に含まれている第１のトランスデューサーにおいて出力され、サイドチャネルサウンドは、デバイス中に含まれている第２のトランスデューサーにおいて出力される。
【０００９】
別の態様にしたがうと、Ｍ−Ｓエンコードされたサウンドの再生のための装置は、マルチチャネルデジタルアナログ変換器（ＤＡＣ）を具備している。ＤＡＣは、デジタル化されたミッドオーディオ信号を受け取る第１のチャネル入力と、アナログミッドオーディオ信号を提供する第１のチャネル出力と、デジタル化されたサイドオーディオ信号を受け取る第２のチャネル入力と、アナログサイドオーディオ信号を提供する第２のチャネル出力とを有している。
【００１０】
別の態様にしたがうと、Ｍ−Ｓエンコードされたサウンドの再生のための装置は、デジタル化された左チャネルステレオオーディオ信号に応答する第１の２分割回路と；デジタル化された右チャネルステレオオーディオ信号に応答する第２の２分割回路と；第１の２分割回路からのデジタル化された左チャネルステレオオーディオ出力と、第２の２分割回路からのデジタル化された右チャネルステレオオーディオ出力との和をとる和算器と；第１の２分割回路からのデジタル化された左チャネルステレオオーディオ出力と、第２の２分割回路からのデジタル化された右チャネルステレオオーディオ出力との差を決定する減算器と；和算器からのデジタル化された和オーディオ出力に応答する第１のチャネル入力と、アナログ和オーディオ信号を提供する第１のチャネル出力と、減算器からのデジタル化された差オーディオ出力に応答する第２のチャネル入力と、アナログ差オーディオ信号を提供する第２のチャネル出力とを有する、マルチチャネルデジタルアナログ変換器（ＤＡＣ）と；アナログ和オーディオ信号に応答して、ミッドチャネルサウンドを生成させる第１のスピーカーと；アナログ差信号に応答して、サイドチャネルサウンドを生成させる第２のスピーカーとを具備する。
【００１１】
さらなる態様にしたがうと、装置は、デジタルアナログ変換器（ＤＡＣ）において、デジタル化されたミッドオーディオ信号を受け取る手段と；ＤＡＣにおいて、デジタル化されたサイドオーディオ信号を受け取る手段と；デジタル化されたミッドオーディオ信号をアナログミッドオーディオ信号に変換する手段と；デジタル化されたサイドオーディオ信号をアナログサイドオーディオ信号に変換する手段と；アナログミッドオーディオ信号に応答して、ミッドチャネルサウンドを出力する手段と；アナログサイドオーディオ信号に応答して、サイドチャネルサウンドを出力する手段とを具備する。
【００１２】
さらなる態様にしたがうと、１つ以上のプロセッサにより実行可能な１組の命令を具現化するコンピュータ読取可能媒体は、マルチチャネルデジタルアナログ変換器（ＤＡＣ）において、デジタル化されたミッドオーディオ信号を受け取るためのコードと；マルチチャネルＤＡＣにおいて、デジタル化されたサイドオーディオ信号を受け取るためのコードと；デジタル化されたミッドオーディオ信号をアナログミッドオーディオ信号に変換するためのコードと；デジタル化されたサイドオーディオ信号をアナログサイドオーディオ信号に変換するためのコードと；アナログミッドオーディオ信号に応答して、ミッドチャネルサウンドを出力するためのコードと；アナログサイドオーディオ信号に応答して、サイドチャネルサウンドを出力するためのコードとを含む。
【００１３】
以下の図面および詳細な説明を考察すると、他の態様、特徴、および、利点が、当業者にとって明らかであるだろう、または、明らかになるだろう。このようなすべての付加的な特徴、態様、および、利点を、本説明内に含め、添付の特許請求の範囲により保護することが意図されている。
【図面の簡単な説明】
【００１４】
図は、単に例示の目的のためのものに過ぎないことを理解すべきである。さらに、図面中のコンポーネントは必ずしもスケーリングしておらず、それよりむしろ、ここで説明する技術の原理を示すことに重点が置かれている。図面では、同一の参照番号は、異なるビュー全体を通して、対応するパーツを示している。
【図１】図１は、１対のスピーカーを使用して、Ｍ−Ｓエンコードされたサウンドを再生するための例示的なデバイスのダイヤグラムである。
【図２】図２は、３つのスピーカーを使用して、Ｍ−Ｓエンコードされたサウンドを再生するための例示的なデバイスのダイヤグラムである。
【図３】図３は、２つのスピーカーを使用して、Ｍ−Ｓエンコードされたサウンドを再生するための例示的な移動体デバイスを示すダイヤグラムである。
【図４】図４は、３つのスピーカーを使用して、Ｍ−Ｓエンコードされたサウンドを再生するための例示的な移動体デバイスを示すダイヤグラムである。
【図５】図５は、図１および図３のデバイス中に含めることができる例示的なオーディオ回路のある詳細を示すダイヤグラムである。
【図６】図６は、図５のオーディオ回路のある詳細を示す概略図である。
【図７】図７は、図５〜図６のオーディオ回路により実行される例示的なデジタル処理の詳細を示すダイヤグラムである。
【図８】図８は、図１および図３のデバイス中に含めることができる代替的なオーディオ回路のある詳細を示す概略図である。
【図９】図９は、図１および図４のデバイス中に含めることができる別の代替的なオーディオ回路のある詳細を示す概略図である。
【図１０】図１０は、図９のオーディオ回路中で使用することができる差動駆動オーディオ増幅器およびスピーカーの詳細を示すダイヤグラムである。
【図１１】図１１は、図９のオーディオ回路中で使用することができる差動ＤＡＣ、差動オーディオ増幅器およびスピーカーの詳細を示すダイヤグラムである。
【図１２】図１２は、図２および図４のデバイス中に含めることができる例示的なオーディオ回路のある詳細を示すダイヤグラムである。
【図１３】図１３は、図１２のオーディオ回路のある詳細を示す概略図である。
【図１４】図１４は、図２および図４のデバイス中に含めることができる代替的なオーディオ回路のある詳細を示す概略図である。
【図１５】図１５は、図１２〜図１４のオーディオ回路中で使用することができる差動駆動オーディオ増幅器およびスピーカーの詳細を示すダイヤグラムである。
【図１６】図１６は、図１２〜図１４のオーディオ回路中で使用することができる差動ＤＡＣ、差動オーディオ増幅器およびスピーカーの詳細を示すダイヤグラムである。
【図１７】図１７は、図１〜図１６に関連して説明するオーディオ回路のうちのいずれかを実現するために使用することができるアーキテクチャである。
【図１８】図１８は、デバイスにおいて、Ｍ−Ｓエンコードされたサウンドを再生する方法を示すフローチャートである。
【図１９】図１９は、ワイヤードリンクを通して接続されている別個のアクセサリデバイス上で、Ｍ−Ｓエンコードされたサウンドを再生する移動体デバイスを示すダイヤグラムである。
【図２０】図２０は、ワイヤードリンクを通して接続されている別個のアクセサリデバイス上で、差動的にエンコードされたＭ−Ｓエンコードサウンドを再生する移動体デバイスを示すダイヤグラムである。
【図２１】図２１は、ワイヤードリンクを通して接続されている別個のアクセサリデバイス上で、Ｍ−Ｓエンコードされたサウンドを再生するために、Ｍ信号、Ｓ＋信号、Ｓ−信号を出力する移動体デバイスを示すダイヤグラムである。
【図２２】図２２は、ワイヤードリンクを通して接続されている別個のアクセサリデバイス上で、差動的なＭ−Ｓエンコードされたサウンドを再生するために、Ｍ信号、Ｓ＋信号、Ｓ−信号を出力する移動体デバイスを示すダイヤグラムである。
【図２３】図２３は、Ｍ−Ｓエンコードされたサウンドを別個のアクセサリデバイス上で再生するために、Ｍ信号、Ｓ＋信号、Ｓ−信号をアナログワイヤレスリンク上で出力する移動体デバイスを示すダイヤグラムである。
【図２３Ａ】図２３Ａは、Ｍ−Ｓエンコードされたサウンドを別個のアクセサリデバイス上で再生するために、Ｍ信号、Ｓ＋信号のみをアナログワイヤレスリンク上で出力する移動体デバイスを示すダイヤグラムである。
【図２４】図２４は、Ｍ−Ｓエンコードされたサウンドを別個のアクセサリ上で再生するために、Ｍ信号、Ｓ＋信号、Ｓ−信号をデジタルワイヤレスリンク上で出力する移動体デバイスを示すダイヤグラムである。
【図２５】図２５は、Ｍ−Ｓエンコードされたサウンドを別個のアクセサリ上で再生するために、Ｍ信号、Ｓ＋信号のみをワイヤレスリンク上で出力する移動体デバイスを示すダイヤグラムである。
【図２６】図２６は、デジタルワイヤードリンクで移動体デバイスに接続されている別個のアクセサリデバイス上で、Ｍ−Ｓエンコードされたサウンドを再生するために、Ｍ−Ｓ信号を出力する移動体デバイスを示すダイヤグラムである。
【図２６Ａ】図２６Ａは、デジタルワイヤードリンクで移動体デバイスに接続されている別個のアクセサリデバイス上で、Ｍ−Ｓエンコードされたサウンドを再生するために、Ｍ−Ｓ信号を出力する移動体デバイスを示すダイヤグラムである。
【詳細な説明】
【００１５】
図を参照し、図を具体化する以下の詳細な説明は、１つ以上の特定の実施形態を説明し、示している。限定するためではなく、例示および教示するために提供されているこれらの実施形態は、クレームされていることを当業者が実施できるように、十分に詳細に示され、説明されている。したがって、簡潔さのために、説明は、当業者に知られているある情報を省略することがある。
【００１６】
本開示全体を通して、“例として、事例として、あるいは例示として役割を果たすこと”を意味するように、“例示的な”という単語を使用する。“例示的な”ものとしてここで説明するあらゆるものは、他のアプローチまたは特徴と比較して、必ずしも好ましいものとして、または、利益のあるものとして、解釈すべきではない。
【００１７】
図１は、例えば、スピーカー１４、１６のような、１対のオーディオトランスデューサーを使用して、Ｍ−Ｓエンコードされたサウンドを再生するための例示的なデバイス１０のダイヤグラムである。デバイス１０は、デジタルアナログ変換器（ＤＡＣ）１２を含んでいる。第１のスピーカー１４は、ミッド（Ｍ）チャネルを出力し、第２のスピーカー１６は、サイドチャネルのうちの１つ（Ｓ＋）を出力する。デバイス１０は、１対の類似したサイズのステレオスピーカーが生成させることができる魅力的なステレオ音場を生成させ、オーディオトランスデューサー（スピーカー１４、１６）はすべて、単一のボックス１１中に収められている。
【００１８】
デバイス１０は、スピーカーボックス、ステレオシステムコンポーネント、ラップトップコンピュータ、ゲーミングコンソール、セルラ電話機や、パーソナルデジタルアシスタント（ＰＤＡ）や、ゲーミングデバイスや、または、これらに類するもののようなハンドヘルドデバイス等の、サウンドを再生するのに適した何らかの電子デバイスであってもよい。
【００１９】
ＤＡＣ１２は、デジタル化されたミッド（Ｍ）オーディオ信号を受け取る第１のチャネル入力と、デジタル化されたＭオーディオ信号に応答して、アナログＭオーディオ信号を提供する第１のチャネル出力とを有する何らかの適切なマルチチャネルＤＡＣとすることができる。ＤＡＣ１２はまた、デジタル化されたサイド（Ｓ＋）オーディオ信号を受け取る第２のチャネル入力と、デジタル化されたＳ＋オーディオ信号に応答して、アナログＳ＋オーディオ信号を提供する第２のチャネル出力とを含むことができる。ＤＡＣは、移動局モデム（ＭＳＭ）チップのようなチップ上の統合通信システム中に含めてもよい。
【００２０】
移動体セルラハンドセットのような、典型的な移動体デバイスは、小型のボックスを有しており、ここでは、サイズ制限のために、２つのスピーカーをそれほど遠くに離すことができない。こうしたデバイスは、ここで開示するＭ−Ｓステレオ再生技術に適している。最も商業的に入手可能な移動体ハンドセットは、（通話を行うための）ハンドセットモードと、スピーカーフォンモード（ハンズフリー電話機通話または野外での音楽のリスニング）の双方をサポートしているので、これらの２つのタイプのスピーカーは、既に多くのハンドセット上に設置されている。音声通信には１つのチャネルで十分なので、ハンドセットスピーカーは、通常、モノである。スピーカーフォンスピーカーは、モノまたはステレオのいずれかとすることができる。
【００２１】
Ｍ−Ｓエンコードされたサウンドを再生するためにハンドセットスピーカー３２と単一のモノスピーカーフォンスピーカー３４とを有するセルラ電話機３０の例が、図３において示されている。いくつかのセルラ電話機で典型的なように、ハンドセットスピーカー３２は、ユーザの耳のすぐ隣になるように、デバイス３０の中央前面に位置しているので、ミッドチャネル出力のために使用することができる。たいていの電話機では、スピーカーフォンスピーカーは、前面発射（電話機の前面に位置している）、側面発射（電話機の側面に位置している）、または、背面に位置しているかのいずれかである。図３の例では、スピーカーフォンスピーカー３４は、電話機３０の背面近くに位置している。たとえ、スピーカーフォンスピーカー３４がモノであったとしても、モノスピーカー３４において１つのサイドチャネル（例えば、Ｓ＋）を再生することができる。スピーカーフォンスピーカー３４の位置が、ハンドセットスピーカー３２から比較的遠くに離れている場合に、より興味深い音響を再生することができる。
【００２２】
従来のセルラハンドセットでは、ハンドセットスピーカーとスピーカーフォンスピーカーを同時に使用することはないので、従来のハンドセットは、ハンドセットスピーカーとスピーカーフォンスピーカーの双方において同時にサウンドを出力するように構成されていない。スピーカーを共に使うことがない主な理由は、従来のハンドセットは、通常、（１対の）スピーカーのいずれかを駆動するように、１つのステレオデジタルアナログ変換器（ＤＡＣ）のみを有しており、スピーカーをすべて同時に駆動するには付加的なＤＡＣが必要とされるからである。付加的なＤＡＣの追加は、製造コストの著しい増加を意味する。ここで開示する改良で、既存のステレオＤＡＣを持つハンドセット上で、Ｍ−Ｓエンコードされたステレオを再生することが可能である。ハンドセットスピーカーおよびスピーカーフォンスピーカーへのオーディオ出力は、Ｍ−Ｓエンコードされたステレオを再生するためにデバイス全体が利用可能であるように調整されており、既存のスピーカーフォンスピーカーだけを使用するよりも、より良好な音場を達成する。
【００２３】
移動体デバイス内のスピーカーフォンスピーカーがモノである（すなわち、１つのスピーカーフォンスピーカーのみがデバイス中に含まれている）場合には、図５、図６、および、図８において示されているもののように、ここで下記でさらに説明する、この例における回路信号ルーティングを実現することができる。このケースでは、サイドチャネルを直接使用して、モノスピーカーフォンスピーカー３４を駆動し、ミッドチャネルが、ハンドセットスピーカー３２を駆動している。音響的に、この方法で再生される音場は、真のＭ−Ｓステレオではないが、ハンドセットスピーカー３２は、ユーザに面した前面に位置しており、モノスピーカーフォン３４は、デバイス３０の背面に位置している可能性が高いので、合成された音響は、モノスピーカーフォンのケースを改善したものである。２つのスピーカーと、何らかの良好なステレオソースマテリアルがあると、共に働く２つのスピーカー３２、３４が、空間的なサウンドパターンを著しく多様化させ、前面のハンドセットスピーカー３２から、ステレオ場の共通（和またはミッド）信号を分散させ、デバイスボックス中の異なる位置にある別のスピーカー３４から、差（サイドチャネル）信号を分散させる。結果の音場は、１つのモノスピーカーのみを持つデバイスよりも、非常にステレオらしいものになるだろう。
【００２４】
ここで図２に戻ると、この図面は、例えば、スピーカー２４、２６、２８のような、３つのオーディオトランスデューサーを使用して、Ｍ−Ｓエンコードされたサウンドを再生するための例示的なデバイス２０のダイヤグラムである。デバイス２０は、ＤＡＣ２２を含んでいる。第１のスピーカー２４は、ミッド（Ｍ）チャネルを出力し、第２のスピーカー２６は、サイドチャネルのうちの１つ（Ｓ＋）を出力し、第３のスピーカー２８は、他のサイドチャネル（Ｓ−）を出力する。Ｓ＋オーディオチャネルおよびＳ−オーディオチャネルは、おおよそ１８０度だけ位相反転されている。スピーカー２６およびスピーカー２８を使用して、位相打ち消しサイドチャネルを生成させることができる。
【００２５】
デバイス２０は、スピーカーボックス、ステレオシステムコンポーネント、ラップトップコンピュータ、ゲーミングコンソール、セルラ電話機や、パーソナルデジタルアシスタント（ＰＤＡ）や、ゲーミングデバイスや、または、これらに類するもののようなハンドヘルドデバイス等の、サウンドを再生するのに適した何らかの電子デバイスであってもよい。
【００２６】
ＤＡＣ２２は、デジタル化されたミッド（Ｍ）オーディオ信号を受け取る第１のチャネル入力と、デジタル化されたＭオーディオ信号に応答して、アナログＭオーディオ信号を提供する第１のチャネル出力とを有する何らかの適切なマルチチャネルＤＡＣとすることができる。ＤＡＣ２２はまた、デジタル化されたサイド（Ｓ＋）オーディオ信号を受け取る第２のチャネル入力と、デジタル化されたＳ＋オーディオ信号に応答して、アナログＳ＋オーディオ信号を提供する第２のチャネル出力とを含んでいる。ＤＡＣ２２はさらに、デジタル化されたサイド（Ｓ−）オーディオ信号を受け取る第３のチャネル入力と、デジタル化されたＳ−オーディオ信号に応答して、アナログＳ−オーディオ信号を提供する第３のチャネル出力とを含んでいる。ＤＡＣは、移動局モデム（ＭＳＭ）チップのようなチップ上の統合通信システム中に含まれていてもよい。
【００２７】
図４は、３つのスピーカー３２、３８、３９を使用して、Ｍ−Ｓエンコードされたサウンドを再生するための例示的なセルラ電話機３６を示すダイヤグラムである。ハンドセットスピーカー３２は、電話機３６の前面中央に位置しており、スピーカーフォンスピーカー３８、３９は、ステレオオーディオを出力するための側面発射スピーカーである。Ｍ−Ｓエンコードされたステレオを出力するように電話機３６が構成されているときに、ハンドセットスピーカー３２はＭチャネルを出力し、スピーカーフォンスピーカー３８、３９は、位相打ち消しサイドチャネルＳ＋およびＳ−を生成させるために使用される。
【００２８】
ここで開示するように、移動体ハンドセット上のＭ−Ｓステレオ音響の利益は、次のように要約することができる：移動体デバイスは、従来のＬ−Ｒステレオオーディオ記録を受け入れることができる。デバイスプロセッサ上のＭ−Ｓオーディオの追加の計算負荷は最小のものである。Ｍ−Ｓ技術は、既存の移動体ハンドセットハードウェアアセット（スピーカー）をより十分に利用する。ミッドチャネルとサイドチャネルの間の利得をバランスさせることにより、出力Ｍ−Ｓステレオ音場を（中央の幅およびコヒーレンスに対して）調整可能である。図３〜図４に示されているような典型的なスピーカーコンフィギュレーションに対して、ステレオ拡張を容易に達成することができ、有効な音場のサイズを増加させることができる。これは、ステレオサウンドファイルをプレーするときに、音響をより享受できるように、図３において示されているもののような、モノスピーカーフォンデバイスを強化する。
【００２９】
図５は、図１のデバイス１０および図３のデバイス３０中に含めることができる、例示的なオーディオ回路４０のある詳細を示すダイヤグラムであり、ＭＰ３、ＷＡＶ、あるいは、他のオーディオファイルまたはストリーミングオーディオ入力のような、従来のデジタル化されたＬ−ＲステレオエンコードされたソースからＭ−Ｓステレオオーディオを再生するためのものである。オーディオ回路４０は、図６および図７に関連して下記でさらに詳細に説明するように、マルチチャネルＤＡＣ１２およびスピーカー１４、１６とともに、オーディオチャネルを処理するための他の回路を含んでいる。オーディオ回路４０は、デジタル化されたステレオＬオーディオチャネル入力およびデジタル化されたステレオＲオーディオチャネル入力を受け取り、入力に応答して、Ｌ−ＲオーディオをＭ−Ｓエンコードされたオーディオに変換し、Ｍ−Ｓステレオチャネルのうちの２つを出力する：ミッドスピーカー１４上のＭチャネルと、サイドスピーカー１６上の（例において示されているような）Ｓ＋チャネルまたはＳ−チャネルのいずれかとである。
【００３０】
オーディオ回路４０は、以下の関係にしたがって、ＬおよびＲのステレオチャネルを、対応するＭ−Ｓチャネルに変換してもよい：
Ｍ＝（Ｌ＋Ｒ）／２                              式３
Ｓ＋＝（Ｌ−Ｒ）／２                            式４
Ｓ−＝（Ｒ−Ｌ）／２                            式５
方程式３〜５では、Ｍは、ミッドチャネルオーディオ信号を表し、Ｌは、左チャネルオーディオ信号を表し、Ｒは、右チャネルオーディオ信号を表し、Ｓ−は、位相反転されたサイドチャネルオーディオ信号を表し、Ｓ＋は、反転されていないサイドチャネルオーディオ信号を表す。オーディオ回路４０により、方程式３〜５の他のバリエーションを用いて、Ｌ−ＲステレオをＭ−Ｓステレオに変換してもよい。
【００３１】
図６は、図５のオーディオ回路４０のある詳細を示す概略図である。ＤＡＣ１２より前の信号パス（例えば、デジタルオーディオポスト処理）において、Ｌ−Ｒ（左−右）ステレオ信号は、図６中で示されている回路コンポーネントにより、Ｍ−Ｓステレオに翻訳される。
【００３２】
オーディオ回路４０は、デジタルドメイン回路４２およびアナログドメイン回路４４と通信するＤＡＣ１２を含んでいる。たいていのステレオ媒体は、Ｌ−Ｒステレオフォーマットで記録されている。デジタルドメイン回路４２は、ＬおよびＲのオーディオチャネルのパルスコード変調された（ＰＣＭ）オーディオを受け取る。分割器４６、４８は、ＲおよびＬチャネルのＰＣＭオーディオサンプルをそれぞれ２により分割する。Ｌチャネル分割器４８の出力は、加算器５０、５２に提供される。Ｒチャネル分割器４６の出力は、加算器５２に提供され、また、Ｒチャネル分割器４６の出力は反転されて、その後、加算器５０にも提供される。
【００３３】
加算器５２の出力は、ＤＡＣ１２の第１のチャネルにＭチャネルオーディオサンプルを提供し、加算器５０の出力は、ＤＡＣ１２の第２のチャネルにＳ＋チャネルオーディオサンプルを提供する。
【００３４】
ＤＡＣ１２は、ＭチャネルサンプルをＭアナログオーディオチャネル信号に変換し、Ｓ＋チャネルサンプルをＳ＋アナログオーディオチャネル信号に変換する。アナログオーディオ回路５６により、Ｍアナログオーディオチャネル信号をさらに処理してもよく、アナログオーディオ回路５４により、Ｓ＋アナログオーディオチャネル信号をさらに処理してもよい。アナログオーディオ回路５４、５６のオーディオ出力信号は、その後、スピーカー１６、１４にそれぞれ提供され、そこで、それらは、ユーザが聞くことができるように再生される。
【００３５】
アナログオーディオ回路５４、５６は、フィルタリング、増幅、および、これらに類するもののようなオーディオ処理機能を、Ｍチャネルアナログ信号上およびＳ＋チャネルアナログ信号上で実行してもよい。別個の回路として示されているが、アナログオーディオ回路５４、５６は、組み合わせて単一の回路にしてもよい。
【００３６】
回路４０を使用して、移動体ハンドセット上でＭ−Ｓステレオを実現すると、信号パス中でおよび／またはハードウェアオーディオルーティング中で改良を行わなければならないことがある。ＤＡＣの入力および出力は、図６中で示されているように、Ｌ−Ｒ信号の代わりに、Ｍ−Ｓ信号を受け取って出力するように再構成される。ハンドセットスピーカーと１つのみのスピーカーフォンスピーカーとを有するハンドセット（例えば、図３の電話機３０）では、Ｍチャネル出力を使用して、ハンドセットスピーカー（例えば、スピーカー３２）を駆動し、Ｓ＋チャネル出力を使用して、スピーカーフォンスピーカー（例えば、スピーカー３４）を駆動する。
【００３７】
回路４０はまた、ハンドセットスピーカーと２つのスピーカーフォンスピーカーを有するハンドセット（例えば、図４の電話機３６）中で用いてもよい。このケースでは、Ｍチャネル信号を使用して、通常は移動体デバイスの前面中央部分に位置するハンドセットスピーカー（例えば、３２）を駆動する。１つのパス上でＳ＋チャネルを使用して、好ましくは側面発射スピーカーである、ステレオスピーカーフォンスピーカーのうちの１つ（例えば、スピーカー３８または３９のいずれか）または双方を駆動する。
【００３８】
図７は、図５〜図６のオーディオ回路４０のデジタルドメイン４２により実行される例示的なデジタル処理のさらなる詳細を示すダイヤグラムである。分割器４６、４８は、加算器５０、５２により加算されたときにオーバーフローを防ぐために、Ｌチャネル入力信号およびＲチャネル入力信号のビット幅を増加させて、これらのデジタル信号を１ビット右に算術的にシフトさせる。１の補数反転器６０は、Ｒチャネル信号の負の値が加算器５０に提供されるようにする。加算器５０、５２により和がとられた後に、加算器出力のそれぞれは、１ビットだけ左シフトされて、オリジナルのビット幅にビット幅が減少される（ブロック６２）。
【００３９】
図８は、図１のデバイス１０および図３のデバイス３０中に含めることができる代替的なオーディオ回路７０のある詳細を示す概略図である。オーディオ回路７０は、ＭチャネルとＳチャネルの間の利得を調節することにより、出力Ｍ−Ｓステレオ音場を（中央の幅およびコヒーレンスに対して）調整可能であるように、Ｍデジタルオーディオチャネル中およびＳ＋デジタルオーディオチャネル中の利得を選択的に調節する手段を備えている。図８において示されているように、手段は、Ｍチャネル利得回路６４と、Ｓ＋チャネル利得回路６６とを含んでいてもよい。Ｍチャネル利得回路６４は、デジタルＭチャネルオーディオ信号がＤＡＣ１２により変換される前に、デジタルＭチャネルオーディオ信号にＭチャネル利得係数を適用し、Ｓ＋チャネル利得回路６６は、デジタルＳチャネルオーディオ信号がＤＡＣ１２により変換される前に、デジタルＳチャネルオーディオ信号にＳ＋チャネル利得係数を適用する。利得回路６４、６６のそれぞれは、それぞれの利得係数値により、それぞれのＭ−Ｓオーディオ信号を乗算するための乗算器を実現してもよい。利得係数値は、メモリ中に記憶されていてもよく、特定のデバイスにより再生されるＭ−Ｓ音場を調節するように調整されてもよい。利得値は、デバイスに対して経験的に決定することができ、製造の間にメモリ中に予めロードすることができる。代替的に、ユーザが、記憶されている利得係数値を調節して、出力音場を調整できるユーザインターフェースをデバイス中に含めてもよい。
【００４０】
図９は、図１および図４のデバイス中に含めることができる別の代替的なオーディオ回路８０のある詳細を示す概略図である。オーディオ回路８０は、位相反転器８６を含む第３のアナログオーディオ回路８４を備えている。アナログ回路８４は、ＤＡＣ１２からＳ＋アナログオーディオチャネル出力を受け取り、例えば、スピーカー８２のような第３のオーディオトランスデューサーに、反転されたサイドチャネル（Ｓ−）を出力する。アナログオーディオ回路８４は、フィルタリング、増幅、および、これらに類するもののような、オーディオ処理機能を実行することができる。加えて、位相反転器８６は、Ｓ＋アナログ信号を反転させて、Ｓ−アナログ信号を生成させる。位相反転器８６は、反転増幅器とすることができる。
【００４１】
別個の回路として示されているが、アナログ回路５４、５６、８４は、組み合わせて単一のアナログ回路にすることができる。
【００４２】
ハンドセットスピーカーおよび２つのスピーカーフォンスピーカーを有するハンドセット（例えば、図４の電話機３６）中で、回路８０を用いてもよい。このケースでは、Ｍチャネル信号を使用して、通常は移動体デバイスの前面中央部分に位置するハンドセットスピーカー（例えば、３２）を駆動する。１つのパス上でＳ＋チャネルを使用して、好ましくは側面発射スピーカーである、ステレオスピーカーフォンスピーカーのうちの１つ（例えば、スピーカー３８または３９のいずれか）を駆動する。Ｓ−チャネルを使用して、他のスピーカーフォンスピーカーを駆動する。
【００４３】
図１０は、図９のオーディオ回路８０中で使用することができる、差動駆動オーディオ増幅器９２、９４、９６と、スピーカー１４、１６、８２とを有する回路９０を示すダイヤグラムである。Ｍチャネル差動増幅器９２は、ＤＡＣ１２から非差動Ｍチャネルオーディオ信号を受け取り、次に、差動Ｍチャネルアナログオーディオ信号を出力して、差動スピーカー１４を駆動し、Ｍチャネルサウンドを再生する。Ｓ＋チャネル差動増幅器９４は、ＤＡＣ１２から非差動Ｓ＋チャネルオーディオ信号を受け取り、次に、差動Ｓ＋チャネルアナログオーディオ信号を出力して、差動スピーカー１６を駆動し、Ｓ＋チャネルサウンドを再生する。Ｓ−チャネル差動増幅器９６は、ＤＡＣ１２から非差動Ｓ＋チャネルオーディオ信号を受け取り、次に、差動Ｓ−チャネルアナログオーディオ信号を出力して、差動スピーカー８２を駆動し、Ｓ−チャネルサウンドを再生する。スピーカー８２入力の極性は、Ｓ＋チャネル信号を有効に反転させるために、Ｓ−チャネル差動増幅器の出力に対して逆になっており、それにより、Ｓ−チャネルオーディオを生成させる。
【００４４】
図１１は、図９のオーディオ回路８０中で代替的に使用することができる、差動ＤＡＣ１０２と、差動オーディオ増幅器１０４、１０６、１０８と、スピーカー１４、１６、８２とを有する回路１００を示すダイヤグラムである。ＤＡＣ１０２は、ＤＡＣ１２の機能を実行するだけでなく、差動Ｍチャネルアナログ出力および差動Ｓ＋チャネルアナログ出力を出力する。これらの差動Ｍ出力および差動Ｓ＋出力が、差動増幅器１０４〜１０８を駆動する。差動増幅器１０４〜１０８の出力は、図１０のスピーカー１４、１６、８２と同じ方法で、スピーカー１４、１６、８２に接続されている。
【００４５】
図１２は、図２のデバイス２０中および図４のデバイス３６中に含めることができる、例示的なオーディオ回路１１０のある詳細を示すダイヤグラムであり、ＭＰ３、ＷＡＶ、あるいは、他のオーディオファイルまたはストリーミングオーディオ入力のような、従来のデジタル化されたＬ−ＲステレオエンコードされたソースからＭ−Ｓステレオオーディオを再生するためのものである。オーディオ回路１１０は、図１３および図１４に関連して下記でさらに詳細に説明するように、マルチチャネルＤＡＣ２２およびスピーカー２４、２６、２８とともに、オーディオチャネルを処理するための他の回路を含んでいる。オーディオ回路１１０は、デジタル化されたステレオＬオーディオチャネル入力およびデジタル化されたステレオＲオーディオチャネル入力を受け取り、入力に応答して、Ｌ−ＲオーディオをＭ−Ｓエンコードされたオーディオに変換し、３つのＭ−Ｓステレオチャネルを出力する：ミッドスピーカー２４上のＭチャネル、ならびに、Ｓ＋チャネルスピーカー２６上のＳ＋チャネルおよびＳ−チャネルスピーカー２８上のＳ−チャネルのおのおのである。Ｌ−ＲチャネルのＭ−Ｓチャネルへの変換は、方程式３〜５にしたがって実行することができる。
【００４６】
図１３は、図１２のオーディオ回路１１０のある詳細を示す概略図である。ＤＡＣ２２より前の信号パス（例えば、デジタルオーディオポスト処理）において、Ｌ−Ｒ（左−右）ステレオ信号は、図６中で示されている回路コンポーネントにより、Ｍ−Ｓステレオに翻訳される。オーディオ回路１１０は、デジタルドメイン回路１２０およびアナログドメイン回路１２２と通信するＤＡＣ２２を備えている。たいていのステレオ媒体は、Ｌ−Ｒステレオフォーマットで記録されている。デジタルドメイン回路１２０は、ＬおよびＲのオーディオチャネルのパルスコード変調された（ＰＣＭ）オーディオを受け取る。
【００４７】
図７に関連して上記で論じたように、分割器４６、４８および加算器５０、５２により処理するデジタルオーディオ信号は、ビットシフトして、幅を増幅させて、その後、幅を減少させることができる。
【００４８】
図６中で示されているコンポーネントに加えて、図１３のデジタルドメイン回路１２０は、位相反転器１１２を備えており、これは、加算器５０からのＳ＋信号出力を１８０度だけ反転させて、Ｓ−デジタルオーディオチャネルを生成させる。位相反転器１１２は、Ｓ＋信号を反転させるための１の補数回路を備えている。
【００４９】
ＤＡＣ２２は、ＭチャネルサンプルをＭアナログオーディオチャネル信号に変換し、Ｓ＋チャネルサンプルをＳ＋アナログオーディオチャネル信号に変換し、Ｓ−チャネルサンプルをＳ−アナログオーディオチャネル信号に変換する。アナログオーディオ回路１１４により、Ｍアナログオーディオチャネル信号をさらに処理してもよい；アナログオーディオ回路１１６により、Ｓ＋アナログオーディオチャネル信号をさらに処理してもよい；アナログオーディオ回路１１８により、Ｓ−アナログオーディオチャネル信号をさらに処理してもよい。アナログオーディオ回路１１４、１１６、１１８のオーディオ出力信号は、その後、スピーカー２４、２６、２８にそれぞれ提供され、そこで、それらは、ユーザが聞くことができるように再生される。
【００５０】
アナログオーディオ回路１１４、１１６、１１８は、それぞれ、Ｍチャネルアナログ信号上、Ｓ＋チャネルアナログ信号上、および、Ｓ−チャネルアナログ信号上で、フィルタリング、増幅、およびこれらに類するもののような、オーディオ処理機能を実行してもよい。別個の回路として示されているが、アナログオーディオ回路１１４〜１１８は、組み合わせて単一の回路にしてもよい。
【００５１】
回路１１０を使用して、移動体ハンドセット上でＭ−Ｓステレオを実現すると、信号パス中でおよび／またはハードウェアオーディオルーティング中で改良が行われなければならないことがある。ＤＡＣ２２の入力および出力は、図１３中で示されているように、Ｌ−Ｒ信号の代わりに、Ｍ−Ｓ信号を受け取って出力するように再構成される。ハンドセットスピーカーと２つのスピーカーフォンスピーカーとを有するハンドセット（例えば、図４の電話機３６）中で、回路１１０を用いてもよい。このケースでは、Ｍチャネル信号を使用して、通常は移動体デバイスの前面中央部分に位置しているハンドセットスピーカー（例えば、３２）を駆動する。Ｓ＋チャネルを使用して、好ましくは側面発射スピーカーである、ステレオスピーカーフォンスピーカーのうちの１つ（例えば、スピーカー３８または３９のいずれか）を駆動し、Ｓ−チャネルを使用して、他のスピーカーフォンスピーカーを駆動する。このような方法で、ステレオスピーカーフォンスピーカーを使用して、前後方向に対して垂直な、側面方向の音場を再生する。
【００５２】
図１４は、図２のデバイス２０中および図４のデバイス３６中に含めることができる代替的なオーディオ回路１３０のある詳細を示す概略図である。オーディオ回路１３０は、
ＭチャネルとＳチャネルの間の利得を調節することにより、出力Ｍ−Ｓステレオ音場を（中央の幅およびコヒーレンスに対して）調節可能であるように、Ｍデジタルオーディオチャネル中およびＳデジタルオーディオチャネル中の利得を選択的に調節する手段を備えている。図１４において示されているように、手段は、Ｍチャネル利得回路１３２と、Ｓ＋チャネル利得回路１３４と、Ｓ−チャネル利得回路１３６とを含んでいてもよい。Ｍチャネル利得回路１３２は、デジタルＭチャネルオーディオ信号がＤＡＣ２２により変換される前に、デジタルＭチャネルオーディオ信号にＭチャネル利得係数を適用し、Ｓ＋チャネル利得回路１３４は、デジタルＳ＋チャネルオーディオ信号がＤＡＣ２２により変換される前に、デジタルＳ＋チャネルオーディオ信号にＳ＋チャネル利得係数を適用し、Ｓ−チャネル利得回路１３６は、デジタルＳ−チャネルオーディオ信号がＤＡＣ２２により変換される前に、デジタルＳ−チャネルオーディオ信号にＳ−チャネル利得係数を適用する。利得回路１３２、１３４、１３６のそれぞれは、それぞれの利得係数値により、それぞれのＭ−Ｓオーディオ信号を乗算するための乗算器を実現してもよい。利得係数値は、メモリ中に記憶されていてもよく、特定のデバイスにより再生されるＭ−Ｓ音場を調節するように調整されてもよい。利得値は、デバイスに対して経験的に決定することができ、製造の間にメモリ中に予めロードすることができる。代替的に、ユーザが、記憶されている利得係数値を調節して、出力音場を調整することができるユーザインターフェースをデバイス中に含めてもよい。
【００５３】
加えて、位相反転されたサイドチャネルの品質をさらに高めるために、信号の（Ｓ＋，Ｓ−）サイドチャネル対にさまざまなステレオ向上技術を適用することができる。
【００５４】
図１５は、図１３のオーディオ回路１１０〜図１４のオーディオ回路１３０の中で使用することができる、差動駆動オーディオ増幅器１４２、１４４、１４６と、スピーカー２４、２６、２８とを有する回路１４０を示すダイヤグラムである。Ｍチャネル差動増幅器１４２は、ＤＡＣ２２から非差動Ｍチャネルオーディオ信号を受け取り、次に、差動Ｍチャネルアナログオーディオ信号を出力して、差動スピーカー２４を駆動し、Ｍチャネルサウンドを再生する。Ｓ＋チャネル差動増幅器１４４は、ＤＡＣ２２から非差動Ｓ＋チャネルオーディオ信号を受け取り、次に、差動Ｓ＋チャネルアナログオーディオ信号を出力して、差動スピーカー２６を駆動し、Ｓ＋チャネルサウンドを再生する。Ｓ−チャネル差動増幅器１４６は、ＤＡＣ２２から非差動Ｓ−チャネルオーディオ信号を受け取り、次に、差動Ｓ−チャネルアナログオーディオ信号を出力して、差動スピーカー２８を駆動し、Ｓ−チャネルサウンドを再生する。
【００５５】
図１６は、図１３のオーディオ回路１１０中および図１４のオーディオ回路１３０中で代替的に使用することができる、差動ＤＡＣ１５２と、差動オーディオ増幅器１４２、１４４、１４６と、スピーカー２４、２６、２８とを有する回路１５０を示すダイヤグラムである。ＤＡＣ１５２は、ＤＡＣ２２の機能を実行するだけでなく、差動Ｍチャネルアナログ出力、差動Ｓ＋チャネルアナログ出力、および、差動Ｓ−チャネルアナログ出力を出力する。これらの差動Ｍ出力、差動Ｓ＋出力、および、差動Ｓ−出力が、差動増幅器１５４〜１５８を駆動する。差動増幅器１５４〜１５８の出力は、図１５のスピーカー２４、２６、２８と同じ方法で、スピーカー２４、２６、２８に接続されている。
【００５６】
図１７は、図１〜図１６に関連して説明したオーディオ回路４０、７０、８０、１１０、１３０のうちのいずれかを実現するように使用することができるアーキテクチャ２００である。アーキテクチャ２００は、デジタルバス２０６により、メモリ２０４と、マルチチャネルＤＡＣ２０８と、アナログ回路２１０とに結合されている１つ以上のプロセッサ（例えば、プロセッサ２０２）を含んでいる。アーキテクチャ２００はまた、スピーカー２１２、２１４、２１６のような、Ｍチャネルオーディオトランスデューサー、Ｓ＋チャネルオーディオトランスデューサー、Ｓ−チャネルオーディオトランスデューサーを含んでいる。
【００５７】
アナログオーディオ回路２１０は、スピーカー２１２〜２１６に対する出力であるＭ−Ｓアナログオーディオ信号を付加的に処理するためのアナログ回路を含んでいる。アナログオーディオ回路２１０により、サイドチャネルのフィルタリング、増幅、位相反転、および、他のオーディオ処理機能を実行することができる。
【００５８】
プロセッサ２０２は、メモリ２０４中に記憶されているソフトウェアまたはファームウェアを実行して、図１〜図１６に関連して説明したデジタルドメイン処理のうちのいずれかを行う。プロセッサ２０２は、ＡＲＭ７（登録商標）、デジタル信号プロセッサ（ＤＳＰ）、１つ以上の特定用途向け集積回路（ＡＳＩＣ）、フィールドプログラマブルゲートアレイ（ＦＰＧＡ）、複合プログラマブル論理デバイス（ＣＰＬＤ）、ディスクリート論理、あるいは、これらの何らかの適切な組み合わせのような、何らかの適切なプロセッサまたは制御装置とすることができる。代替的に、プロセッサ２０２は、マルチプロセッサ−ＤＳＰの組み合わせのような、複数のプロセッサを有するマルチプロセッサアーキテクチャとして実現してもよい。例示的なマルチプロセッサアーキテクチャでは、ここで開示するオーディオ処理および変換のうちの少なくともいくつかを提供するように、ＤＳＰをプログラムすることができ、デバイスの動作全体を制御するように、マルチプロセッサをプログラムすることができる。
【００５９】
メモリ２０４は、フラッシュメモリ、ＲＡＭ、ＲＯＭ、ＰＲＯＭ、または、これらに類するもの、あるいは、先述のタイプのメモリの何らかの適切な組み合わせのような、プログラミングコードおよび／またはデータコンテンツを記憶するための何らかの適切なメモリデバイスであってもよい。別個のメモリデバイスもまた、アーキテクチャ２００中に含めることができる。メモリは、Ｌ−Ｒオーディオ／Ｍ−Ｓオーディオ変換ソフトウェア２１９を含むＭ−Ｓオーディオプレーバックソフトウェア２１８を記憶する。メモリ２１８はまた、Ｍ−Ｓオーディオプレーバックソフトウェア２１８を使用してプレーバックするために、ＰＣＭ、．ｗａｖ、または、ＭＰ３のファイルのような、オーディオソースファイルを記憶してもよい。加えて、メモリ２１８はまた、図８および図１４に関連して上記で説明した利得回路６４、６６、１３２、１３４、１３６のための利得係数値を記憶してもよい。
【００６０】
ここで開示するように、プロセッサ２０２により実行したときに、Ｍ−Ｓオーディオプレーバックソフトウェア２１８は、Ｌ−Ｒ入力ステレオオーディオに応答して、Ｍ−Ｓエンコードされたステレオをデバイスに再生させる。ここで説明したように、プレーバックソフトウェア２１８はまた、Ｌ−Ｒエンコードされた入力ステレオ信号に応答して、Ｍ−Ｓエンコードされたステレオがハンドセットスピーカーおよびスピーカーフォンスピーカーにより出力されるように、オーディオ処理パスを再ルーティングし、デバイス中のリソースを再構成してもよい。Ｌ−Ｒオーディオ／Ｍ−Ｓオーディオ変換ソフトウェア２１９は、方程式３〜５にしたがって、デジタル化されたＬ−Ｒオーディオ信号をＭ−Ｓ信号に変換する。
【００６１】
アーキテクチャ２００のコンポーネントは、単一のチップ上に一体化してもよく、もしくは、アーキテクチャ２００のコンポーネントは、別個のコンポーネントや、あるいは、内蔵コンポーネントとディスクリートコンポーネントの何らかの適切な組み合わせであってもよい。加えて、マルチメモリ構成のような、他のプロセッサ−メモリアーキテクチャを代替的に使用してもよい。
【００６２】
図１８は、Ｍ−Ｓエンコードされたサウンドをデバイスにおいて再生する方法を示すフローチャート３００である。ブロック３０２において、ＬステレオチャネルおよびＲステレオチャネルが、Ｍ−Ｓオーディオ信号に変換される。ここで説明する回路および／またはソフトウェアを使用して、方程式３〜５にしたがって変換を実行することができる。
【００６３】
図８または図１４のいずれかに関連して上記で説明したように、ブロック３０４において、Ｍ−Ｓオーディオ信号をバランスさせるために、オプション的に利得係数を適用する。
【００６４】
図１および図２に関連して説明したように、ブロック３０６において、デジタルＭ−Ｓオーディオ信号上でデジタルアナログ変換を実行し、アナログＭ−Ｓステレオ信号を生成させる。
【００６５】
ブロック３０８において、Ｍ−Ｓエンコードされた信号をデバイスにおいて再生するために、スピーカーのようなオーディオトランスデューサーが、アナログＭ−Ｓステレオ信号により駆動される。ここで説明するように、Ｍ−Ｓチャネルのうちの２つまたは３つのいずれかをデバイスにより再生することができる。
【００６６】
図１９は、ワイヤードリンク４０５を通して接続されている別個のアクセサリデバイス４０４上で、Ｍ−Ｓエンコードされたサウンドを再生する移動体デバイス４０２を含むシステム４００を示すダイヤグラムである。移動体デバイス４０２は、ＤＡＣ１２を含んでおり、移動体デバイス４０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。図５、図６、図８、および図９に関連して上記で説明したように、移動体デバイス４０２は、Ｍ−Ｓエンコードされたアナログオーディオ信号を生成させるためのデジタルドメインオーディオ処理およびＤＡＣ１２を含むように構成されている。
【００６７】
アクセサリデバイス４０４は、移動体デバイスのボックスの一部ではない何らかの適切な電子デバイスとすることができる。例えば、アクセサリデバイス４０４は、ヘッドセットまたは別個のスピーカーボックスとすることができる。本質的に、アクセサリデバイス４０４は、Ｍ−Ｓチャネルを再生するためのアナログオーディオ処理回路を含んでいる。アクセサリデバイス４０４は、ワイヤードリンク４０５を経由して、Ｍチャネルアナログオーディオ出力およびＳ＋チャネルアナログオーディオ出力をＤＡＣ１２から受け取る。アクセサリデバイス４０４は、Ｍチャネルスピーカー１４を駆動するためのＭチャネルオーディオ増幅器４１０と、Ｓ＋チャネルスピーカー１６を駆動するためのＳ＋チャネルオーディオ増幅器４１２と、Ｓ−チャネルスピーカー４０８を駆動するＳ−チャネル信号を生成させるための、Ｓ＋チャネル増幅器４１２の出力に応答する反転オーディオ増幅器４１４とを含んでいる。
【００６８】
図２０は、ワイヤードリンク５０５を通して接続されている別個のアクセサリデバイス５０４上で、差動エンコードされたＭ−Ｓエンコードサウンドを再生する移動体デバイス５０２を含むシステム５００を示すダイヤグラムである。移動体デバイス５０２は、差動ＤＡＣ１０２を含んでおり、移動体デバイス５０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。図５、図６、図８、および、図９に関連して上記で説明したように、移動体デバイス５０２は、Ｍ−Ｓエンコードされたアナログオーディオ信号を生成させるためのデジタルドメインオーディオ処理と、差動ＤＡＣ１０２とを含むように構成されている。
【００６９】
アクセサリデバイス５０４は、移動体デバイスのボックスの一部ではない何らかの適切な電子デバイスとすることができる。例えば、アクセサリデバイス５０４は、ヘッドセットまたは別個のスピーカーボックスとすることができる。本質的に、アクセサリデバイス５０４は、Ｍ−Ｓチャネルを再生するためのアナログオーディオ処理回路を含んでいる。アクセサリデバイス５０４は、ワイヤードリンク５０５により、差動ＭチャネルおよびＳ＋チャネルアナログオーディオ出力をＤＡＣ１０２から受け取る。アクセサリデバイス５０４は、Ｍチャネルスピーカー１４を駆動するための差動Ｍチャネルオーディオ増幅器１０４と、Ｓ＋チャネルスピーカー１６を駆動するための差動Ｓ＋チャネルオーディオ増幅器１０６と、Ｓ−チャネルスピーカー８２を駆動するＳ−チャネル信号を生成させるための、ＤＡＣ１０２のＳ＋チャネル出力の出力に応答する差動Ｓ−チャネルオーディオ増幅器１０８とを含んでいる。差動Ｓ＋チャネル信号の極性は、Ｓ＋チャネル信号を有効に反転させるために、Ｓ−チャネル差動増幅器１０８への入力として逆にされており、それにより、Ｓ−チャネルオーディオを生成させる。
【００７０】
図２１は、ワイヤードリンク６０５を通して接続されている別個のアクセサリデバイス６０４上で、Ｍ−Ｓエンコードされたサウンドを再生するための、Ｍ信号、Ｓ＋信号、Ｓ−信号を出力する移動体デバイス６０２を含むシステム６００を示すダイヤグラムである。移動体デバイス６０２は、ＤＡＣ２２を含んでおり、移動体デバイス６０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。図１２〜図１４に関連して上記で説明したように、移動体デバイス６０２は、Ｍ−Ｓエンコードされたアナログオーディオ信号を生成させるためのデジタルドメインオーディオ処理およびＤＡＣ２２を含むように構成されている。
【００７１】
アクセサリデバイス６０４は、移動体デバイスのボックスの一部ではない何らかの適切な電子デバイスとすることができる。例えば、アクセサリデバイス６０４は、ヘッドセットまたは別個のスピーカーボックスとすることができる。本質的に、アクセサリデバイス６０４は、Ｍ−Ｓチャネルを再生するためのアナログオーディオ処理回路を含んでいる。アクセサリデバイス６０４は、ワイヤードリンク６０５を経由して、Ｍチャネルアナログオーディオ出力、Ｓ＋チャネルアナログオーディオ出力、および、Ｓ−チャネルアナログオーディオ出力をＤＡＣ２２から受け取る。アクセサリデバイス６０４は、Ｍチャネルスピーカー２４を駆動するためのＭチャネルアナログ増幅器１４２と、Ｓ＋チャネルスピーカー２６を駆動するためのＳ＋チャネルオーディオ増幅器１４４と、Ｓ−チャネルスピーカー２８を駆動するためのＳ−チャネルオーディオ増幅器１４６とを含んでいる。
【００７２】
図２２は、ワイヤードリンク７０５を通して接続されている別個のアクセサリデバイス７０６上で、Ｍ−Ｓエンコードされたサウンドを再生するための、Ｍ差動信号、Ｓ＋差動信号、Ｓ−差動信号を出力する移動体デバイス７０２を含むシステム７００を示すダイヤグラムである。移動体デバイス７０２は、差動ＤＡＣ１５２を含んでおり、移動体デバイス７０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。図１２〜図１４に関連して上記で説明したように、移動体デバイス７０２は、Ｍ−Ｓエンコードされたアナログオーディオ信号を生成させるためのデジタルドメインオーディオ処理と、差動ＤＡＣ１５２とを含むように構成されている。
【００７３】
アクセサリデバイス７０４は、移動体デバイスのボックスの一部ではない何らかの適切な電子デバイスとすることができる。例えば、アクセサリデバイス７０４は、ヘッドセットまたは別個のスピーカーボックスとすることができる。本質的に、アクセサリデバイス７０４は、Ｍ−Ｓチャネルを再生するためのアナログオーディオ処理回路のうちの少なくともいくつかを含んでいる。アクセサリデバイス７０４は、ワイヤードリンク７０５を経由して、差動Ｍチャネルアナログオーディオ出力、差動Ｓ＋チャネルアナログオーディオ出力、および、差動Ｓ−チャネルアナログオーディオ出力をＤＡＣ１５２から受け取る。アクセサリデバイス７０４は、Ｍチャネルスピーカー２４を駆動するための差動Ｍチャネルオーディオ増幅器１５４と、Ｓ＋チャネルスピーカー２６を駆動するための差動Ｓ＋チャネルオーディオ増幅器１５６と、Ｓ−チャネルスピーカー２８を駆動するための差動Ｓ−チャネルオーディオ増幅器１５８とを含んでいる。
【００７４】
図２３は、別個のアクセサリデバイス８０４上で、Ｍ−Ｓエンコードされたサウンドを再生するために、Ｍ信号、Ｓ＋信号、Ｓ−信号をアナログワイヤレスリンク８０５上で出力する移動体デバイス８０２を含むシステム８００を示すダイヤグラムである。移動体デバイス８０２は、ＤＡＣ２２を含んでおり、移動体デバイス８０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。図１２〜図１４に関連して上記で説明したように、移動体デバイス８０２は、Ｍ−Ｓエンコードされたアナログオーディオ信号を生成させるためのデジタルドメインオーディオ処理およびＤＡＣ２２を含むように構成されている。これに加えて、移動体デバイス８０２は、ワイヤレスリンク８０５を通してアクセサリデバイス８０４にＭアナログチャネル、Ｓ＋アナログチャネル、および、Ｓ−アナログチャネルを送信するためのワイヤレスアナログインターフェース８０８およびアンテナ８１０を含んでいる。
【００７５】
アクセサリデバイス８０４は、移動体デバイスのボックスの一部ではない何らかの適切な電子デバイスとすることができる。例えば、アクセサリデバイス８０４は、ヘッドセットまたは別個のスピーカーボックスとすることができる。本質的に、アクセサリデバイス８０４は、移動体デバイス８０２からのＭ−Ｓチャネルを再生するためのアナログオーディオ処理回路のうちの少なくともいくつかを含んでいる。アクセサリデバイス８０４は、Ｍアナログチャネル、Ｓ＋アナログチャネル、および、Ｓ−アナログチャネルを移動体デバイス８０２から受け取るためのワイヤレスアナログインターフェース８１４およびアンテナ８１２を含んでいる。ワイヤレスインターフェース８１４は、Ｍ−Ｓエンコードされたステレオを再生するために、アクセサリデバイス８０４中に含まれている増幅器およびスピーカー８１６に、Ｍ−Ｓチャネルを提供する。増幅器およびスピーカー８１６は、ここで図１５および図２１の増幅器およびスピーカーに対して示され、説明されているこれらのコンポーネントを含んでことができる。
【００７６】
図２３Ａは、別個のアクセサリデバイス８０９上で、Ｍ−Ｓエンコードされたサウンドを再生するために、Ｍ信号、Ｓ＋信号のみをアナログワイヤレスリンク８０５上で出力する移動体デバイス８０７を含むシステム８２５を示すダイヤグラムである。移動体デバイス８０２は、ＤＡＣ１２を含んでいてもよく、移動体デバイス８０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。図６および図８に関連して上記で説明したように、移動体デバイス８０７は、Ｍ−Ｓエンコードされたアナログオーディオ信号を生成させるためのデジタルドメインオーディオ処理およびＤＡＣ１２を含むように構成されている。これに加えて、移動体デバイス８０７は、ワイヤレスリンク８０５を通してアクセサリデバイス８０９にＭアナログチャネル、Ｓ＋アナログチャネルを送信するためのワイヤレスアナログインターフェース８０８およびアンテナ８１０を含んでいる。
【００７７】
アクセサリデバイス８０９は、移動体デバイスのボックスの一部ではない何らかの適切な電子デバイスとすることができる。例えば、アクセサリデバイス８０９は、ヘッドセットまたは別個のスピーカーボックスとすることができる。本質的に、アクセサリデバイス８０９は、移動体デバイス８０７からのＭ−Ｓチャネルを再生するためのアナログオーディオ処理回路のうちの少なくともいくつかを含んでいる。アクセサリデバイス８０９は、Ｍアナログチャネル、Ｓ＋アナログチャネルを移動体デバイス８０２から受け取るためのワイヤレスアナログインターフェース８１４およびアンテナ８１２を含んでいる。ワイヤレスインターフェース８１４は、Ｍ−Ｓエンコードされたステレオを再生するために、アクセサリデバイス８０９中に含まれている増幅器およびスピーカー８１７にＭ−Ｓチャネルを提供する。増幅器およびスピーカー８１７は、ここで図１０および図１９の増幅器およびスピーカーに対して示され、説明されているこれらのコンポーネントを含むことができる。
【００７８】
図２４は、別個のアクセサリデバイス８５４上で、Ｍ−Ｓエンコードされたサウンドを再生するために、Ｍ信号、Ｓ＋信号、Ｓ−信号をデジタルワイヤレスリンク８５５上で出力する移動体デバイス８５２を含むシステム８５０を示すダイヤグラムである。移動体デバイス８５２は、ここで図１３〜図１４に関連して説明した、Ｍ−Ｓ変換のためのデジタルドメインオーディオ処理を含んでおり、移動体デバイス８５２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。これに加えて、移動体デバイス８５２は、ワイヤレスリンク８５５を通してアクセサリデバイス８５４にＭデジタルチャネル、Ｓ＋デジタルチャネル、および、Ｓ−デジタルチャネルを送信するためのワイヤレスデジタルインターフェース８５８およびアンテナ８６０を含んでいる。
【００７９】
ブルートゥース（登録商標）またはＷｉＦｉ（登録商標）のような、何らかの適切なワイヤレスプロトコルおよびコンポーネントを使用して、デジタルワイヤレスリンク８５５を実現することができる。デジタルワイヤレスリンク８５５を通してＭデジタルオーディオ、Ｓ＋デジタルオーディオ、および、Ｓ−デジタルオーディオをデータとして運ぶための適切なデジタルデータフォーマットは、ＳＰＤＩＦまたはＨＤＭＩである。
【００８０】
アクセサリデバイス８５４は、移動体デバイスのボックスの一部ではない何らかの適切な電子デバイスとすることができる。例えば、アクセサリデバイス８５４は、ヘッドセットまたは別個のスピーカーボックスとすることができる。本質的に、アクセサリデバイス８５４は、ＤＡＣと、移動体デバイス８５２から受け取ったＭ−Ｓチャネルを再生するためのアナログオーディオ処理回路とを含んでいる。アクセサリデバイス８５４は、Ｍデジタルチャネル、Ｓ＋デジタルチャネル、および、Ｓ−デジタルチャネルを移動体デバイス８５２から受け取るためのワイヤレスデジタルインターフェース８６４およびアンテナ８６２を含んでいる。ワイヤレスデジタルインターフェース８６４は、Ｍ−Ｓエンコードされたステレオを再生するために、アクセサリデバイス８５４中に含まれているＤＡＣ、増幅器およびスピーカー８６６にＭ−Ｓチャネルを提供する。ＤＡＣは、ここで説明する３チャネルのＤＡＣ２２、１５２のうちのいずれかとすることができ、増幅器およびスピーカーは、ここで図１５、図１６、および、図２１の増幅器およびスピーカーに対して示され、説明されているこれらのコンポーネントを含むことができる。
【００８１】
図２５は、別個のアクセサリデバイス９０４上で、Ｍ−Ｓエンコードされたサウンドを再生するために、Ｍ信号、Ｓ＋信号のみをワイヤレスリンク９０５上で出力する移動体デバイス９０２を含むシステム９００を示すダイヤグラムである。移動体デバイス９０２は、ここで図６および図８に関連して説明した、Ｍ−Ｓ変換のためのデジタルドメインオーディオ処理を含んでおり、移動体デバイス９０２は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。これに加えて、移動体デバイス９０２は、ワイヤレスリンク９０５を通してアクセサリデバイス９０４にＭデジタルチャネル、Ｓ＋デジタルチャネルを送信するためのワイヤレスデジタルインターフェース９０８およびアンテナ９１０を含んでいる。
【００８２】
ブルートゥースまたはＷｉ−Ｆｉのような、何らかの適切なワイヤレスプロトコルおよびコンポーネントを使用して、デジタルワイヤレスリンク９０５を実現することができる。デジタルワイヤレスリンク９０５を通してＭデジタルオーディオ、Ｓ＋デジタルオーディオ、および、Ｓ−デジタルオーディオをデータとして運ぶための適切なデジタルデータフォーマットは、ＳＰＤＩＦまたはＨＤＭＩである。
【００８３】
アクセサリデバイス９０４は、移動体デバイスのボックスの一部ではない何らかの適切な電子デバイスとすることができる。例えば、アクセサリデバイス９０４は、ヘッドセットまたは別個のスピーカーボックスとすることができる。本質的に、アクセサリデバイス９０４は、ＤＡＣと、移動体デバイス９０２から受け取ったＭ−Ｓチャネルを再生するためのアナログオーディオ処理回路を含んでいる。アクセサリデバイス９０４は、Ｍデジタルチャネル、Ｓ＋デジタルチャネルを移動体デバイス９０２から受け取るためのワイヤレスデジタルインターフェース９１４およびアンテナ９１２を含んでいる。ワイヤレスインターフェース９１４は、Ｍ−Ｓエンコードされたステレオを再生するために、アクセサリデバイス９０４中に含まれているＤＡＣ、増幅器およびスピーカー９１６にＭ−Ｓチャネルを提供する。ＤＡＣは、ここで説明した２チャネルのＤＡＣ１２、１０２のいずれかとすることができ、増幅器およびスピーカーは、ここで図１０および図１１の増幅器およびスピーカーに対して示され、説明されているこれらのコンポーネントを含むことができる。
【００８４】
図２６は、別個のアクセサリデバイス８５７上で、Ｍ−Ｓエンコードされたサウンドを再生するために、Ｍ信号、Ｓ＋信号、Ｓ−信号をデジタルワイヤードリンク８６１上で出力する移動体デバイス８５３を含むシステム８７０を示すダイヤグラムである。移動体デバイス８５３は、ここで図１３〜図１４に関連して説明した、Ｍ−Ｓ変換のためのデジタルドメインオーディオ処理を含んでおり、移動体デバイス８５３は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。これに加えて、移動体デバイス８５３は、ワイヤードリンク８６１を通してアクセサリデバイス８５７にＭデジタルチャネル、Ｓ＋デジタルチャネル、および、Ｓ−デジタルチャネルを送信するためのデジタルインターフェース８５９を含んでいる。
【００８５】
デジタルワイヤードリンク８６１を通して、Ｍデジタルオーディオ、Ｓ＋デジタルオーディオ、および、Ｓ−デジタルオーディオをデータとして運ぶための、ＳＰＤＩＦまたはＨＤＭＩのような、何らかの適切なデジタルデータフォーマットを使用して、デジタルワイヤードリンク８６１を実現することができる。
【００８６】
アクセサリデバイス８５７は、移動体デバイスのボックスの一部ではない何らかの適切な電子デバイスとすることができる。例えば、アクセサリデバイス８５７は、ヘッドセットまたは別個のスピーカーボックスとすることができる。本質的に、アクセサリデバイス８５７は、ＤＡＣと、移動体デバイス８５３から受け取ったＭ−Ｓチャネルを再生するためのアナログオーディオ処理回路とを含んでいる。アクセサリデバイス８５７は、Ｍデジタルチャネル、Ｓ＋デジタルチャネル、および、Ｓ−デジタルチャネルを移動体デバイス８５３から受け取るためのデジタルインターフェース８６３を含んでいる。デジタルインターフェース８６３は、Ｍ−Ｓエンコードされたステレオを再生するために、アクセサリデバイス８５７中に含まれているＤＡＣ、増幅器およびスピーカー８６６にＭ−Ｓチャネルを提供する。ＤＡＣは、ここで説明した３チャネルのＤＡＣ２２、１５２のいずれかとすることができ、増幅器およびスピーカーは、ここで図１５、図１６、および、図２１の増幅器およびスピーカーに対して示され、説明されているこれらのコンポーネントを含むことができる。
【００８７】
図２６Ａは、別個のアクセサリデバイス９１３上で、Ｍ−Ｓエンコードされたサウンドを再生するために、Ｍ信号、Ｓ＋信号のみをワイヤードリンク８６１上で出力する移動体デバイス９０３を含むシステム９２５を示すダイヤグラムである。移動体デバイス９０３は、ここで図６および図８に関連して説明したＭ−Ｓ変換のためのデジタルドメインオーディオ処理を含んでいてもよく、移動体デバイス９０３は、コンピュータ、ゲーミングデバイス、ラジオ、セルラ電話機、パーソナルデジタルアシスタント（ＰＤＡ）、または、これらに類するもののような、サウンドを再生するための何らかの適切な移動体デバイスとすることができる。これに加えて、移動体デバイス９０３は、ワイヤードリンク８６１を通してアクセサリデバイス９１３にＭデジタルチャネル、Ｓ＋デジタルチャネルを送信するためのデジタルインターフェース８５９を含んでいる。
【００８８】
デジタルワイヤードリンク８６１を通して、Ｍデジタルオーディオ、Ｓ＋デジタルオーディオをデータとして運ぶための、ＳＰＤＩＦまたはＨＤＭＩのような、何らかの適切なデジタルデータフォーマットを使用して、デジタルワイヤードリンク８６１を実現することができる。
【００８９】
アクセサリデバイス９１３は、移動体デバイスのボックスの一部ではない何らかの適切な電子デバイスとすることができる。例えば、アクセサリデバイス９１３は、ヘッドセットまたは別個のスピーカーボックスとすることができる。本質的に、アクセサリデバイス９１３は、ＤＡＣと、移動体デバイス９０３から受け取ったＭ−Ｓチャネルを再生するためのアナログオーディオ処理回路とを含んでいる。アクセサリデバイス９１３は、Ｍデジタルチャネル、Ｓ＋デジタルチャネルを移動体デバイス９０３から受け取るためのデジタルインターフェース８６３を含んでいる。デジタルインターフェース８６３は、Ｍ−Ｓエンコードされたステレオを再生するために、アクセサリデバイス９１３中に含まれているＤＡＣ、増幅器およびスピーカー９１６にＭ−Ｓチャネルを提供する。ＤＡＣは、ここで説明したような２チャネルのＤＡＣ１２、１０２のいずれかとすることができ、増幅器およびスピーカーは、ここで図１０および図１１の増幅器およびスピーカーに対して示し、説明したこれらのコンポーネントを含むことができる。
【００９０】
移動体デバイスまたはアクセサリデバイスは、図１９〜図２６Ａに関連して上記で説明した移動体デバイスとアクセサリデバイスの間のインターフェースおよび通信スキームの何らかの適切な組み合わせを含むように構成することができる。
【００９１】
システム、デバイス、アクセサリ、装置、および、これらのそれぞれのコンポーネントの機能性とともに、ここで説明した方法ステップおよびブロックは、ハードウェアで、ソフトウェアで、ファームウェアで、または、これらの何らかの適切な組み合わせで実現してもよい。ソフトウェア／ファームウェアは、マイクロプロセッサ、ＤＳＰ、組み込み制御装置、または、知的財産（ＩＰ）コアのような、１つ以上のデジタル回路により実行可能な１組の命令（例えば、コードセグメント）を有するプログラムであってもよい。ソフトウェア／ファームウェアで実現した場合、機能は、命令またはコードとして、１つ以上のコンピュータ読取可能媒体上に記憶されてもよく、あるいは、命令またはコードとして、１つ以上のコンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００９２】
ある実施形態を説明してきた。しかしながら、これらの実施形態に対するさまざま改良が可能であり、ここで提示されている原理は、他の実施形態にも適用してもよい。例えば、ここで開示されている原理は、ここで特に説明したもの以外のデバイスに適用してもよい。加えて、特許請求の範囲から逸脱することなく、特に開示したもの以外の構成で、さまざまなコンポーネントおよび／または方法ステップ／ブロックを実現してもよい。
【００９３】
これらの教示を考慮すると、他の実施形態および改良が容易に当事者の心に浮かぶだろう。それゆえ、以下の特許請求の範囲は、上記の明細書および添付の図面とともに考えるときに、このようなすべての実施形態および改良をカバーするように意図されている。
以下に、本願出願の当初の特許請求の範囲に記載された発明を付記する。
［１］デバイスにおいてミッド−サイド（Ｍ−Ｓ）エンコードされたサウンドを出力する方法において、
前記デバイス中に含まれているデジタルアナログ変換器（ＤＡＣ）において、デジタル化されたミッドオーディオ信号を受け取ることと、
前記ＤＡＣにおいて、デジタル化されたサイドオーディオ信号を受け取ることと、
前記ＤＡＣが、前記デジタル化されたミッドオーディオ信号および前記デジタル化されたサイドオーディオ信号を、それぞれ、アナログミッドオーディオ信号とアナログサイドオーディオ信号とに変換することと、
前記アナログミッドオーディオ信号に応答して、前記デバイス中に含まれている第１のトランスデューサーにおいて、ミッドチャネルサウンドを出力することと、
前記アナログサイドオーディオ信号に応答して、前記デバイス中に含まれている第２のトランスデューサーにおいて、サイドチャネルサウンドを出力することとを含む方法。
［２］前記デジタル化されたサイドオーディオ信号を反転して、位相シフトされたデジタル化サイドオーディオ信号を生成させることと、
前記ＤＡＣが、前記位相シフトされたデジタル化サイドオーディオ信号を位相シフトされたアナログサイドオーディオ信号に変換することと、
前記位相シフトされたアナログサイドオーディオ信号に応答して、前記デバイス中に含まれている第３のトランスデューサーにおいて、位相シフトされたサイドチャネルサウンドを出力することとをさらに含む［１］記載の方法。
［３］前記位相シフトされたデジタル化サイドオーディオ信号は、１８０度だけシフトされている［２］記載の方法。
［４］前記アナログサイドオーディオ信号を反転させて、位相シフトされたアナログサイドオーディオ信号を生成させることと、
前記位相シフトされたアナログサイドオーディオ信号に応答して、前記デバイス中に含まれている第３のトランスデューサーにおいて、位相シフトされたサイドチャネルサウンドを出力することとをさらに含む［１］記載の方法。
［５］前記位相シフトされたアナログサイドオーディオ信号は、１８０度だけシフトされている［４］記載の方法。
［６］前記デジタル化されたミッドオーディオ信号と、前記デジタル化されたサイドオーディオ信号と、前記アナログミッドオーディオ信号と、前記アナログサイドオーディオ信号と、先述の信号の何らかの適切な組み合わせとからなるグループから選択した信号の利得を調節することをさらに含む［１］記載の方法。
［７］前記デバイスは、ワイヤレス通信ハンドセットである［１］記載の方法。
［８］前記第１のトランスデューサーは、前記ワイヤレス通信ハンドセット中に含まれているハンドセットスピーカーであり、通話の間にユーザの耳に当てるためのものである［７］記載の方法。
［９］前記第２のトランスデューサーは、前記ワイヤレス通信ハンドセット中に含まれているスピーカーフォンスピーカーである［７］記載の方法。
［１０］ミッド−サイド（Ｍ−Ｓ）エンコードされたサウンドの再生のための装置において、
デジタル化されたミッドオーディオ信号を受け取る第１のチャネル入力と、前記デジタル化されたミッドオーディオ信号に応答して、アナログミッドオーディオ信号を提供する第１のチャネル出力と、デジタル化されたサイドオーディオ信号を受け取る第２のチャネル入力と、前記デジタル化されたサイドオーディオ信号に応答して、アナログサイドオーディオ信号を提供する第２のチャネル出力とを有する、マルチチャネルデジタルアナログ変換器（ＤＡＣ）を具備する装置。
［１１］前記アナログサイドオーディオ信号の位相をシフトさせる位相反転器をさらに具備する［１０］記載の装置。
［１２］前記位相反転器は、前記アナログサイドオーディオ信号の位相を１８０度だけシフトさせる［１１］記載の装置。
［１３］前記デジタル化されたサイドオーディオ信号の位相をシフトさせる位相反転器をさらに具備する［１０］記載の装置。
［１４］前記位相反転器は、前記デジタル化されたサイドオーディオ信号の位相を１８０度だけシフトさせる［１３］記載の装置。
［１５］前記マルチチャネルＤＡＣは、前記位相反転器の出力に結合され、前記位相シフトされたデジタル化サイドオーディオ信号に応答する第３のチャネル入力と、位相シフトされたアナログサイドオーディオ信号を提供する第３のチャネル出力とを備える［１３］記載の装置。
［１６］前記アナログミッドオーディオ信号に応答して、ミッドチャネルサウンドを生成させるように構成されている第１のトランスデューサーと、
前記アナログサイド信号に応答して、サイドチャネルオーディオを生成させるように構成されている第２のトランスデューサーとをさらに具備する［１０］記載の装置。
［１７］前記第１のトランスデューサーは、ワイヤレス通信ハンドセット中に含まれているハンドセットスピーカーであり、通話の間にユーザの耳に当てるためのものである［１６］記載の装置。
［１８］前記第２のトランスデューサーは、ワイヤレス通信ハンドセット中に含まれているスピーカーフォンスピーカーである［１６］記載の装置。
［１９］位相シフトされたアナログサイドオーディオ信号に応答して、位相シフトされたチャネルサウンドを生成させるように構成されている第３のトランスデューサーをさらに具備する［１６］記載の装置。
［２０］前記装置は、ハンドセットモードおよびスピーカーフォンモードで並行して動作するように構成されているワイヤレス通信ハンドセットである［１０］記載の装置。
［２１］前記デジタル化されたミッドオーディオ信号、前記アナログミッドオーディオ信号、前記デジタル化されたサイドオーディオ信号、または、前記アナログサイドオーディオ信号に利得係数を適用する利得回路をさらに具備する［１０］記載の装置。
［２２］アクセサリデバイスにおける再生のために、前記アナログミッド信号および前記アナログサイド信号を前記アクセサリデバイスに転送するように構成されているインターフェースをさらに具備する［１０］記載の装置。
［２３］ミッド−サイド（Ｍ−Ｓ）エンコードされたサウンドの再生のための装置において、
デジタル化された左チャネルステレオオーディオ信号に応答する第１の２分割回路と、
デジタル化された右チャネルステレオオーディオ信号に応答する第２の２分割回路と、
前記第１の２分割回路からのデジタル化された左チャネルステレオオーディオ出力と、前記第２の２分割回路からのデジタル化された右チャネルステレオオーディオ出力との和をとる和算器と、
前記第１の２分割回路からの前記デジタル化された左チャネルステレオオーディオ出力と、前記第２の２分割回路からの前記デジタル化された右チャネルステレオオーディオ出力との差を決定する減算器と、
前記和算器からのデジタル化された和オーディオ出力に応答する第１のチャネル入力と、アナログ和オーディオ信号を提供する第１のチャネル出力と、前記減算器からのデジタル化された差オーディオ出力に応答する第２のチャネル入力と、アナログ差オーディオ信号を提供する第２のチャネル出力とを有する、マルチチャネルデジタルアナログ変換器（ＤＡＣ）と、
前記アナログ和オーディオ信号に応答して、ミッドチャネルサウンドを生成させる第１のスピーカーと、
前記アナログ差信号に応答して、サイドチャネルサウンドを生成させる第２のスピーカーとを具備する装置。
［２４］前記アナログ差オーディオ信号の位相を反転させる位相反転器をさらに具備する［２３］記載の装置。
［２５］前記反転されたアナログ差オーディオ信号に応答して、反転されたサイドチャネルサウンドを生成させる第３のスピーカーをさらに具備する［２４］記載の装置。
［２６］前記デジタル化された差オーディオ出力を反転させるデジタル位相反転器をさらに具備する［２３］記載の装置。
［２７］前記マルチチャネルＤＡＣは、前記反転されたデジタル化差オーディオ出力に応答する第３のチャネル入力と、反転されたアナログ差オーディオ信号を提供する第３のチャネル出力とを備える［２６］記載の装置。
［２８］前記反転されたアナログ差オーディオ信号に応答して、反転されたサイドチャネルサウンドを生成させる第３のスピーカーをさらに具備する［２７］記載の装置。
［２９］前記装置は、ワイヤレス通信ハンドセットである［２３］記載の装置。
［３０］前記ワイヤレス通信ハンドセットは、ハンドセットモードおよびスピーカーフォンモードで並行して動作するように構成されている［２９］記載の装置。
［３１］前記第１の２分割器および前記第２の２分割器は、前記デジタル化された左チャネルステレオオーディオ信号のビット幅と、前記デジタル化された右チャネルステレオオーディオ信号のビット幅とを増加させるようにと、前記デジタル化された左チャネルステレオオーディオ信号と、前記デジタル化された右チャネルステレオオーディオ信号とを算術的に右にシフトさせるように構成されている回路を備える［２３］記載の装置。
［３２］前記和算器および前記減算器の出力のビット幅を左シフトさせて、減少させるように構成されている回路をさらに具備する［２３］記載の装置。
［３３］装置において、
デジタルアナログ変換器（ＤＡＣ）において、デジタル化されたミッドオーディオ信号を受け取る手段と、
前記ＤＡＣにおいて、デジタル化されたサイドオーディオ信号を受け取る手段と、
デジタル化されたミッドオーディオ信号をアナログミッドオーディオ信号に変換する手段と、
デジタル化されたサイドオーディオ信号をアナログサイドオーディオ信号に変換する手段と、
前記アナログミッドオーディオ信号に応答して、ミッドチャネルサウンドを出力する手段と、
前記アナログサイドオーディオ信号に応答して、サイドチャネルサウンドを出力する手段とを具備する装置。
［３４］前記アナログサイド信号を反転させて、反転されたアナログサイド信号を生成させる手段をさらに具備する［３３］記載の装置。
［３５］前記デジタル化されたサイドオーディオ信号を反転させて、反転されたデジタル化サイドオーディオ信号を生成させる手段をさらに具備する［３３］記載の装置。
［３６］前記デジタル化されたミッドオーディオ信号、前記アナログミッドオーディオ信号、前記デジタル化されたサイドオーディオ信号、または、前記アナログサイドオーディオ信号に利得係数を適用する手段をさらに具備する［３３］記載の装置。
［３７］１つ以上のプロセッサにより実行可能な１組の命令を具現化するコンピュータ読取可能媒体において、
マルチチャネルデジタルアナログ変換器（ＤＡＣ）において、デジタル化されたミッドオーディオ信号を受け取るためのコードと、
前記マルチチャネルＤＡＣにおいて、デジタル化されたサイドオーディオ信号を受け取るためのコードと、
デジタル化されたミッドオーディオ信号をアナログミッドオーディオ信号に変換するためのコードと、
デジタル化されたサイドオーディオ信号をアナログサイドオーディオ信号に変換するためのコードと、
前記アナログミッドオーディオ信号に応答して、ミッドチャネルサウンドを出力するためのコードと、
前記アナログサイドオーディオ信号に応答して、サイドチャネルサウンドを出力するためのコードとを含むコンピュータ読取可能媒体。
［３８］前記デジタル化されたサイドオーディオ信号を反転させて、反転されたデジタル化サイドオーディオ信号を生成させるためのコードをさらに含む［３７］記載のコンピュータ読取可能媒体。
［３９］前記デジタル化されたミッドオーディオ信号、前記アナログミッドオーディオ信号、前記デジタル化されたサイドオーディオ信号、または、前記アナログサイドオーディオ信号に利得係数を適用するためのコードをさらに含む［３７］記載のコンピュータ読取可能媒体。
［４０］システムにおいて、
Ｍ−Ｓエンコードされたステレオ信号を生成させるように構成され、前記Ｍ−Ｓエンコードされたステレオ信号をアクセサリデバイスに転送するインターフェースを有する移動体デバイスと、
前記Ｍ−Ｓエンコードされたステレオ信号を受け取るように構成されているインターフェースと、Ｍ−Ｓエンコードされたステレオ信号を再生する手段とを備える前記アクセサリデバイスとを具備するシステム。
［４１］前記移動体デバイスのインターフェースは、ワイヤレスアナログインターフェースと、ワイヤレスデジタルインターフェースと、ワイヤードリンク用のアナログインターフェースと、ワイヤードリンク用のデジタルインターフェースと、先述のものの何らかの適切な組み合わせとからなるグループから選択される［４０］記載のシステム。
［４２］前記アクセサリデバイスのインターフェースは、ワイヤレスアナログインターフェースと、ワイヤレスデジタルインターフェースと、ワイヤードリンク用のアナログインターフェースと、ワイヤードリンク用のデジタルインターフェースと、先述のものの何らかの適切な組み合わせとからなるグループから選択される［４０］記載のシステム。
［４３］前記移動体デバイスにより転送された前記Ｍ−Ｓエンコードされたステレオ信号は、ミッドチャネル信号と、１対のサイドチャネル信号とを含む［４０］記載のシステム。
［４４］前記ミッドチャネル信号と、前記サイドチャネル信号は、差動信号である［４３］記載のシステム。
［４５］前記移動体デバイスにより転送された前記Ｍ−Ｓエンコードされたステレオ信号は、ミッドチャネル信号と、１つだけのサイドチャネル信号とを含む［４０］記載のシステム。
［４６］前記ミッドチャネル信号と、前記サイドチャネル信号は、差動信号である［４５］記載のシステム。
【図１】
0005536212.tif 000002
【図２】
0005536212.tif 000003
【図３】
0005536212.tif 000004
【図４】
0005536212.tif 000005
【図５】
0005536212.tif 000006
【図６】
0005536212.tif 000007
【図７】
0005536212.tif 000008
【図８】
0005536212.tif 000009
【図９】
0005536212.tif 000010
【図１０】
0005536212.tif 000011
【図１１】
0005536212.tif 000012
【図１２】
0005536212.tif 000013
【図１３】
0005536212.tif 000014
【図１４】
0005536212.tif 000015
【図１５】
0005536212.tif 000016
【図１６】
0005536212.tif 000017
【図１７】
0005536212.tif 000018
【図１８】
0005536212.tif 000019
【図１９】
0005536212.tif 000020
【図２０】
0005536212.tif 000021
【図２１】
0005536212.tif 000022
【図２２】
0005536212.tif 000023
【図２３】
0005536212.tif 000024
【図２３Ａ】
0005536212.tif 000025
【図２４】
0005536212.tif 000026
【図２５】
0005536212.tif 000027
【図２６】
0005536212.tif 000028
【図２６Ａ】
0005536212.tif 000029